(57)【特許請求の範囲】
【請求項１】
マルチキャスト伝送においてリンク効率を改善するための方法であって、
データパケットをマルチキャストサーバにおいて受信することと、
前記マルチキャストサーバが、前記データパケットを処理することと、
前記データパケットのコピーを前記マルチキャストサーバから１つまたは複数のアクセス端末に関連するマルチキャストインターネットプロトコル（ＩＰ）アドレスに送信することと、
基地局トランシーバが、前記１つまたは複数のアクセス端末のそれぞれに関連するマルチキャストトラヒック専用のチャネルを使用して、前記データパケットの前記コピーを前記１つまたは複数のアクセス端末のそれぞれにマルチキャストすることと、
を備え、
基地局コントローラは、前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別される前記マルチキャストトラヒック専用のチャネルを使用する前記基地局トランシーバに、前記マルチキャストサーバから受信された前記データパケットの単一のコピーを転送する、
方法。
【請求項２】
前記基地局コントローラは、マルチキャストグループリストを維持する、請求項１に記載の方法。
【請求項３】
前記マルチキャストグループリストは、特定のグループに属する前記１つまたは複数のアクセス端末を表示する、請求項２に記載の方法。
【請求項４】
前記特定のグループは、予約された識別子を備える固定マルチキャストグループである、請求項３に記載の方法。
【請求項５】
前記特定のグループは、前記マルチキャストグループ接続のセットアップ時に確立され、前記マルチキャストグループ接続の終了時に削除される識別子、を備える一時的なマルチキャストグループである、請求項３に記載の方法。
【請求項６】
前記１つまたは複数のアクセス端末が前記基地局トランシーバのある地理的セクタ内に入ったとき、マルチキャストＭＡＣ識別子を前記１つまたは複数のアクセス端末に動的に割り当てること、をさらに備える請求項１に記載の方法。
【請求項７】
前記１つまたは複数のアクセス端末が前記基地局トランシーバのある地理的セクタを出たとき、前記１つまたは複数のアクセス端末からマルチキャストＭＡＣ識別子を動的に解除すること、をさらに備える請求項１に記載の方法。
【請求項８】
前記基地局コントローラが、前記データパケットの追加のコピーを破棄すること、前記追加のコピーは、前記マルチキャストサーバから受信された前記データパケットの１つまたは複数のコピーのうち、前記基地局トランシーバに転送した単一のコピー以外のコピーである、をさらに備える請求項１に記載の方法。
【請求項９】
前記マルチキャストサーバはプッシュツートーク（ＰＴＴ）サーバである、請求項１に記載の方法。
【請求項１０】
前記マルチキャストサーバはプッシュツートークオーバーセルラー（ＰｏＣ）サーバである、請求項１に記載の方法。
【請求項１１】
マルチキャスト伝送においてリンク効率を改善するように構成された装置であって、
前記装置は、
プロセッサと、
前記プロセッサと電子通信中のメモリと、
前記メモリ内に記憶された命令と、
を備え、
前記命令は、
パケットデータサービシングノードと通信し；
データパケットの１つまたは複数のコピーを前記パケットデータサービシングノードから受信し、なお、前記データパケットのそれぞれのコピーは１つまたは複数のアクセス端末と関連するマルチキャストインターネットプロトコル（ＩＰ）アドレスに関連づけられている;
前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別されるマルチキャストチャネルを使用する基地局トランシーバに、前記データパケットの単一のコピーを転送し；そして、
前記データパケットの追加のコピーを破棄する、
ように実行可能であり、
前記追加のコピーは、前記パケットデータサービシングノードから受信された前記データパケットの１つまたは複数のコピーのうち、前記基地局トランシーバに転送した単一のコピー以外のコピーである、
装置。
【請求項１２】
前記命令は、マルチキャストグループリストを維持する、ようにさらに実行可能である、請求項１１に記載の装置。
【請求項１３】
前記マルチキャストグループリストは、特定のグループに属する前記１つまたは複数のアクセス端末を表示する、請求項１２に記載の装置。
【請求項１４】
前記命令は、前記１つまたは複数のアクセス端末が前記基地局トランシーバのある地理的セクタ内に入るとき、マルチキャストＭＡＣ識別子を前記１つまたは複数のアクセス端末に動的に割り当てる、ようにさらに実行可能である、請求項１１に記載の装置。
【請求項１５】
前記命令は、前記１つまたは複数のアクセス端末が前記基地局トランシーバのある地理的セクタから出るとき、マルチキャストＭＡＣ識別子を前記１つまたは複数のアクセス端末から動的に解除するように、さらに実行可能である、請求項１１に記載の装置。
【請求項１６】
マルチキャスト伝送においてリンク効率を改善するように構成されたシステムであって、
データパケットをマルチキャストサーバにおいて受信するための手段と、
前記マルチキャストサーバにおいて前記データパケットを処理するための手段と、
前記データパケットのコピーを前記マルチキャストサーバから１つまたは複数のアクセス端末に関連するマルチキャストインターネットプロトコル（ＩＰ）アドレスに送信するための手段と、
基地局トランシーバにおいて、前記１つまたは複数のアクセス端末のそれぞれに関連するマルチキャストトラヒック専用のチャネルを使用して、前記データパケットの前記コピーを前記１つまたは複数のアクセス端末のそれぞれにマルチキャストするための手段と、
を備え、
基地局コントローラは、前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別される前記マルチキャストトラヒック専用のチャネルを使用する基地局トランシーバに、前記マルチキャストサーバから受信された前記データパケットの単一のコピーを転送する、システム。
【請求項１７】
パケットデータサービシングノードと通信し；
データパケットの１つまたは複数のコピーを前記パケットデータサービシングノードから受信し、なお、前記データパケットのそれぞれのコピーは１つまたは複数のアクセス端末と関連するマルチキャストインターネットプロトコル（ＩＰ）アドレスに関連付けられている;
前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別されるマルチキャストチャネルを使用する基地局トランシーバに、前記データパケットの単一のコピーを転送し；そして、
前記データパケットの追加のコピーを破棄する、
ように実行可能である命令のセット、なお、前記追加のコピーは、前記パケットデータサービシングノードから受信された前記データパケットの１つまたは複数のコピーのうち、前記基地局トランシーバに転送した単一のコピー以外のコピーである、
を記憶するように構成されたコンピュータ可読媒体。
【請求項１８】
無線通信システム内でのマルチキャストする方法であって、前記方法は基地局コントローラが実行し、
マルチキャストサーバからのデータパケットの少なくとも１つのコピーを、１つまたは複数のアクセス端末を含む特定のマルチキャストグループへの伝送のために受信することと、なお、前記データパケットの少なくとも１つのコピーは前記１つまたは複数のアクセス端末と関連するマルチキャストインターネットプロトコル（ＩＰ）アドレスに関連づけられ、
前記マルチキャストＩＰアドレスに関連する前記１つまたは複数のアクセス端末に割り当てられたマルチキャスト媒体アクセス制御（ＭＡＣ）識別子（ＩＤ）を使用して、特定のサービングエリア内の前記特定のマルチキャストグループに属する前記１つまたは複数のアクセス端末への伝送のために前記マルチキャストＭＡＣ識別子（ＩＤ）により識別されるマルチキャスト用チャネルを使用する基地局トランシーバへ、前記データパケットの前記少なくとも１つのコピーの単一のコピーを転送することと、
を含む方法。
【請求項１９】
前記特定のサービングエリアは前記無線通信システムのセクタに対応する、請求項１８に記載の方法。
【請求項２０】
前記無線通信システムは、セルラー通信システムに対応する、請求項１８に記載の方法。
【請求項２１】
マルチキャスト伝送においてリンク効率を改善するように構成された装置であって、
前記装置は、
プロセッサと、
前記プロセッサと電子通信中のメモリと、
前記メモリ内に記憶された命令と、
を備え、
前記命令は、
マルチキャストサーバからのデータパケットの少なくとも１つのコピーを、１つまたは複数のアクセス端末を含む特定のマルチキャストグループへの伝送のために受信し、なお、前記データパケットの少なくとも１つのコピーは前記１つまたは複数のアクセス端末と関連するマルチキャストインターネットプロトコル（ＩＰ）アドレスに関連づけられている、
前記マルチキャストＩＰアドレスに関連する前記１つまたは複数のアクセス端末に割り当てられたマルチキャスト媒体アクセス制御（ＭＡＣ）識別子（ＩＤ）を使用して、特定のサービングエリア内の前記特定のマルチキャストグループに属する前記１つまたは複数のアクセス端末への伝送のために前記マルチキャストＭＡＣ識別子（ＩＤ）により識別されるマルチキャストチャネルを使用する基地局トランシーバへ、前記データパケットの前記少なくとも１つのコピーの単一のコピーを転送する、
ように実行可能である、
装置。
【請求項２２】
マルチキャストサーバからのデータパケットの少なくとも１つのコピーを、１つまたは複数のアクセス端末を含む特定のマルチキャストグループへの伝送のために受信する手段と、なお、前記データパケットの少なくとも１つのコピーは前記１つまたは複数のアクセス端末と関連するマルチキャストインターネットプロトコル（ＩＰ）アドレスに関連づけられている、
前記マルチキャストＩＰアドレスに関連する前記１つまたは複数のアクセス端末に割り当てられたマルチキャスト媒体アクセス制御（ＭＡＣ）識別子（ＩＤ）を使用して、特定のサービングエリア内の前記特定のマルチキャストグループに属する前記１つまたは複数のアクセス端末への伝送のために前記マルチキャストＭＡＣ識別子（ＩＤ）により識別されるマルチキャストチャネルを使用する基地局トランシーバへ、前記データパケットの前記少なくとも１つのコピーの単一のコピーを転送する手段と、
を備える、装置。
【請求項２３】
マルチキャストサーバからのデータパケットの少なくとも１つのコピーを、１つまたは複数のアクセス端末を含む特定のマルチキャストグループへの伝送のために受信し、なお、前記データパケットの少なくとも１つのコピーは、前記１つまたは複数のアクセス端末と関連するマルチキャストインターネットプロトコル（ＩＰ）アドレスに関連づけられている、
前記マルチキャストＩＰアドレスに関連する前記１つまたは複数のアクセス端末に割り当てられたマルチキャスト媒体アクセス制御（ＭＡＣ）識別子（ＩＤ）を使用して、特定のサービングエリア内の前記特定のマルチキャストグループに属する前記１つまたは複数のアクセス端末への伝送のために、前記マルチキャストＭＡＣ識別子（ＩＤ）により識別されるマルチキャスチャネルを使用する基地局トランシーバへ、前記データパケットの前記少なくとも１つのコピーの単一のコピーを転送する
ように実行可能である命令のセット、
を記憶するように構成されたコンピュータ可読媒体。
【請求項２４】
無線通信システム内でのマルチキャストする方法であって、前記方法は基地局コントローラが実行し、
パケットデータサービシングノードと通信することと、
データパケットの１つまたは複数のコピーを前記パケットデータサービシングノードから受信することと、前記データパケットの各コピーは１つまたは複数のアクセス端末と関連するマルチキャストインターネットプロトコル（ＩＰ）アドレスに関連づけられている、
前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別されるマルチキャストチャネルを使用する基地局トランシーバに、前記データパケットの単一のコピーを転送することと、
前記データパケットの追加のコピーを破棄することと、
を備え、
前記追加のコピーは、前記パケットデータサービシングノードから受信された前記データパケットの１つまたは複数のコピーのうち、前記基地局トランシーバに転送した単一のコピー以外のコピーである、方法。
【請求項２５】
前記無線通信システムは、セルラー通信システムに対応する請求項２４に記載の方法。
【請求項２６】
パケットデータサービシングノードと通信する手段と、
データパケットの１つまたは複数のコピーを前記パケットデータサービシングノードから受信する手段と、前記データパケットの各コピーは１つまたは複数のアクセス端末と関連するマルチキャストインターネットプロトコル（ＩＰ）アドレスに関連づけられている、
前記マルチキャストＩＰアドレスに関連する前記１つまたは複数のアクセス端末に割り当てられたマルチキャスト媒体アクセス制御（ＭＡＣ）識別子を使用して、前記１つまたは複数の関連付けられているアクセス端末への伝送のために前記マルチキャストＭＡＣ識別子により識別されるマルチキャストチャネルを使用する基地局トランシーバに、前記データパケットの単一のコピーを転送する手段と、
前記データパケットの追加のコピーを破棄する手段と、なお、前記追加のコピーは、前記パケットデータサービシングノードから受信された前記データパケットの１つまたは複数のコピーのうち、前記基地局トランシーバに転送した単一のコピー以外のコピーである、
を備える装置。
【請求項２７】
マルチキャスト伝送においてリンク効率を改善するように構成された装置であって、
前記装置は、
プロセッサと、
前記プロセッサと電子通信中のメモリと、
前記メモリ内に記憶された命令と、
を備え、
前記命令は、
パケットデータサービシングノードと通信し；
データパケットの１つまたは複数のコピーを前記パケットデータサービシングノードから受信し、なお、前記データパケットの各コピーは１つまたは複数のアクセス端末と関連するマルチキャストインターネットプロトコル（ＩＰ）アドレスに関連づけられている;
前記マルチキャストＩＰアドレスに関連する前記１つまたは複数のアクセス端末に割り当てられたマルチキャスト媒体アクセス制御（ＭＡＣ）識別子を使用して、前記１つまたは複数の関連付けられているアクセス端末への伝送のために前記マルチキャストＭＡＣ識別子により識別されるマルチキャストチャネルを使用する基地局トランシーバに、前記データパケットの単一のコピーを転送し；そして、
前記データパケットの追加のコピーを破棄する、
ように実行可能である、なお、前記追加のコピーは、前記パケットデータサービシングノードから受信された前記データパケットの１つまたは複数のコピーのうち、前記基地局トランシーバに転送した単一のコピー以外のコピーである、
装置。
【請求項２８】
パケットデータサービシングノードと通信し；
データパケットの１つまたは複数のコピーを前記パケットデータサービシングノードから受信し、前記データパケットの各コピーは１つまたは複数のアクセス端末と関連するマルチキャストインターネットプロトコル（ＩＰ）アドレスに関連づけられている;
前記マルチキャストＩＰアドレスに関連する前記１つまたは複数のアクセス端末に割り当てられたマルチキャスト媒体アクセス制御（ＭＡＣ）識別子を使用して、前記１つまたは複数のアクセス端末への伝送のために前記マルチキャストＭＡＣ識別子により識別されるマルチキャスチャネルを使用する基地局トランシーバに、前記データパケットの単一のコピーを転送し；そして、
前記データパケットの追加のコピーを破棄する、
ように実行可能である命令のセット、なお、記追加のコピーは、前記パケットデータサービシングノードから受信された前記データパケットの１つまたは複数のコピーのうち、前記基地局トランシーバに転送した単一のコピー以外のコピーである、
を記憶するように構成されたコンピュータ可読媒体。
【発明の詳細な説明】
【優先権の主張】
【０００１】
［３５Ｕ．Ｓ．Ｃ．§１１９に基づく優先権主張］
本特許出願は、２００６年１０月１０日に出願され、譲受人に譲渡され、参照により本明細書に明示的に組み込まれている、「ＥＶ−ＤＯのための順方向リンクマルチキャスト(Forward Link Multicast for EV-DO)」と題された仮出願第６０／８５０，８６２号の優先権を主張する。
【０００２】
［技術分野］
本発明は、一般に、コンピュータおよびコンピュータ関連技術に関する。より詳細には、本発明は、順方向リンク上でのマルチキャスティング(multicasting)を改善するためのシステムおよび方法に関する。
【０００３】
［背景］
無線通信ネットワークは、音声、パケットデータ、ブロードキャストなど、様々なタイプのサービスを提供するために広く配備されている。これらの無線ネットワークは、符号分割多元接続（ＣＤＭＡ）ネットワーク、汎欧州デジタル移動電話方式（ＧＳＭ）ネットワーク、ユニバーサル移動体通信システム（ＵＭＴＳ）ネットワークなどを含む。
【０００４】
それぞれの無線ネットワークは、無線通信をサポートするために特定のエアインターフェースを利用し、通常、ローミングおよび最新サービスをサポートする特定の移動体ネットワーキングプロトコルをさらに実施する。例えば、ＣＤＭＡネットワークは、ＣＤＭＡエアインターフェースおよびＡＮＳＩ−４１ネットワーキングプロトコルを利用する。ＣＤＭＡネットワークは、ＩＳ−９５、ＩＳ−８５６（１×ＥＶＤＯ）など、１つまたは複数のＣＤＭＡ標準を実施することが可能である。ＣＤＭＡネットワークは、メッセージをネットワーク内のユーザにブロードキャストするブロードキャストサービスを提供することができる。ブロードキャストメッセージは、ニュース、交通情報、天気情報など、様々なタイプの情報を運ぶことができる。
【０００５】
前述の電気通信標準は、音声および／またはデータを送信するために実施され得る様々な通信システムのうちのいくつかの例である。これらのシステム内で、複数のユーザは制限されたシステムリソースを共有する。１つのそのような制限は、複数のユーザをサポートするためのチャネルの利用可能性である。例えば、ＣＤＭＡタイプのシステムにおいて、基地局の範囲内のそれぞれのユーザには、その基地局と通信を実行するために１つまたは複数のチャネルが割り当てられる。十分なチャネルが存在しない場合、その基地局の範囲に入ってくる新しいユーザは、その基地局のサービスにアクセスすることを妨げられる場合がある。
【０００６】
いくつかの状況において、いくつかのユーザに対して同じデータを送信することが望ましい。これは、ビデオストリーミングなど、無線ネットワーク上で大きなロードを負うアプリケーションに関して特に望まれる。しかし、セルラー基地局は、現在、それぞれのユーザに対するデータの類似性にかかわらず、それぞれのユーザに対して個別のチャネル上でデータを送信するように構成される。すなわち、基地局は同じデータコンテンツを有する複数の伝送を行う。したがって、順方向リンク上でマルチキャスティングを改善するためのシステムおよび方法を提供することによって利益が実現されることが可能である。
【図面の簡単な説明】
【０００７】
【図１】無線通信ネットワークの一実施形態を例示するブロック図。
【図２】基地局コントローラの一実施形態を例示するブロック図。
【図３】順方向リンク上でマルチキャスティングの効率を改善するための方法の一実施形態を例示する流れ図。
【図４】アクセス端末に関する１つの一時的なマルチキャストグループ接続(transient multicast group connection)だけをサポートするために確立されているデータ経路の一実施形態を例示するスレッド図。
【図５】１つまたは複数のアクセス端末とマルチキャストＩＰアドレスを利用しているマルチキャストサーバの間で確立されている一時的なマルチキャスト接続の一実施形態を例示するスレッド図。
【図６】一時的または固定のマルチキャストグループ接続(transient or permanent multicast group connection)に関するマルチキャストＩＰアドレスを使用したデータ流れの一実施形態を例示するスレッド図。
【図７】マルチキャストサーバと１つまたは複数のアクセス端末の間で終了している一時的なマルチキャストグループ接続の一実施形態を例示するスレッド図。
【図８】アクセス端末に関する複数の固定マルチキャストグループ接続(multiple permanent multicast group connections)をサポートするために確立されているデータ経路の一実施形態を例示するスレッド図。
【図９】１つまたは複数のアクセス端末とマルチキャストＩＰアドレスを利用しているマルチキャストサーバの間で確立されている固定マルチキャストグループ接続の一実施形態を例示するスレッド図。
【図１０】マルチキャストサーバと１つまたは複数のアクセス端末の間で終了している固定マルチキャストグループ接続の一実施形態を例示するスレッド図。
【図１１】アクセス端末に関する複数の一時的なマルチキャストグループ接続をサポートするために確立されているデータ経路の一実施形態を例示するスレッド図。
【図１２】１つまたは複数のアクセス端末とマルチキャストＩＰアドレスを利用しているマルチキャストサーバの間で確立されている一時的なマルチキャストグループ接続の一実施形態を例示するスレッド図。
【図１３】マルチキャストサーバと１つまたは複数のアクセス端末の間で終了している一時的なマルチキャストグループ接続の一実施形態を例示するスレッド図。
【図１４】構成に従って通信装置において利用され得る様々な成分を例示する図。
【図１５】開示された装置の一実施形態による基地局のブロック図。
【詳細な説明】
【０００８】
本発明の例示的な実施形態は、添付の図面と共に、以下の説明および特許請求の範囲からより十分に明らかになるであろう。これらの図面は例示的な実施形態を示すのみであって、したがって、本発明の範囲を限定していると見なされるべきでない、ということを理解して、本発明の例示的な実施形態が、添付の図面の使用を介し、更なる特異性(specificity)および詳細を用いて説明される。
【０００９】
マルチキャスト伝送におけるリンク効率を改善するための方法が説明される。データパケットはマルチキャストサーバに送られる。データパケットは処理される。データパケットのコピーは、マルチキャストサーバから１つまたは複数のアクセス端末に関連するマルチキャストインターネットプロトコル（ＩＰ）アドレスに送信される。データパケットのコピーは、１つまたは複数のアクセス端末のそれぞれに関連するマルチキャストトラヒック専用のチャネルを使用して、１つまたは複数のアクセス端末のそれぞれにマルチキャストされる。
【００１０】
一実施形態において、基地局コントローラは、マルチキャスト媒体アクセス制御（ＭＡＣ）識別子を使用して、１つまたは複数のアクセス端末への伝送のために、基地局トランシーバにデータパケットの単一のコピーを転送する。基地局コントローラは、マルチキャストグループリストを維持することができる。マルチキャストグループリストは、特定のグループに属する１つまたは複数のアクセス端末を表示することができる。一実施形態では、特定のグループは予約された識別子を備える固定マルチキャストグループであり得る。特定のグループは、マルチキャストグループ接続のセットアップ時に確立され、マルチキャストグループ接続の終了時に削除される識別子を備える一時的なマルチキャストグループであり得る。
【００１１】
１つまたは複数のアクセス端末が基地局トランシーバのある地理的セクタ内に入った場合、マルチキャストＭＡＣ識別子は１つまたは複数のアクセス端末に動的に割り当てられることが可能である。別の実施形態では、マルチキャストＭＡＣ識別子は、１つまたは複数のアクセス端末が基地局トランシーバのある地理的セクタを出た場合、１つまたは複数のアクセス端末から動的に解除されることが可能である。データパケットの追加のコピーは破棄され(discarded)得る。
【００１２】
マルチキャストサーバは、プッシュツートーク(push to talk)（ＰＴＴ）サーバであってよい。マルチキャストサーバは、プッシュツートークオーバーセルラー(push to talk over cellular)（ＰｏＣ）サーバであってよい。
【００１３】
マルチキャスト伝送においてリンク効率を改善するように構成された装置についても説明される。装置は、プロセッサと、プロセッサと電子通信中のメモリとを含む。命令はメモリ内に記憶される。通信はパケットデータサービシングノードを用いて確立される。データパケットの１つまたは複数のコピーはパケットデータサービシングノードから受信され、データパケットのそれぞれのコピーはアクセス端末と関連づけられる。データパケットの単一のコピーは基地局トランシーバに転送される。データパケットの追加のコピーは破棄される。
【００１４】
マルチキャスト伝送におけるリンク効率を改善するように構成されたシステムについても説明される。データパケットはマルチキャストサーバに送られる。データパケットは処理される。データパケットのコピーは、マルチキャストサーバから１つまたは複数のアクセス端末に関連するマルチキャストインターネットプロトコル（ＩＰ）アドレスに送信される。データパケットのコピーは、１つまたは複数のアクセス端末のそれぞれに関連するマルチキャストトラヒック専用のチャネルを使用して、１つまたは複数のアクセス端末のそれぞれにマルチキャストされる。
【００１５】
命令のセットを記憶するように構成されたコンピュータ可読媒体についても説明される。パケットデータサービシングノードとの通信が確立される。データパケットの１つまたは複数のコピーはパケットデータサービシングノードから受信され、データパケットのそれぞれのコピーはアクセス端末と関連づけられる。データパケットの単一のコピーは、１つまたは複数のアクセス端末への伝送のために基地局トランシーバに転送される。データパケットの追加のコピーは破棄される。
【００１６】
次に、同じ参照番号が同一のエレメントまたは機能的に類似するエレメントを表示する図面を参照して本発明の様々な実施形態が説明される。本発明の実施形態は、本明細書の図面において概して説明および例示されるように、様々な異なる構成の形で構成および設計することが可能である。したがって、図面において表される本発明のいくつかの例示的な実施形態の以下のより詳細な説明は、特許請求される本発明の範囲を限定することが意図されず、本発明の実施形態を単に表す。
【００１７】
用語「例示的」は、本明細書において「例、事例、または例示として機能すること」を意味するために排他的に使用される。本明細書において「例示的」として説明される任意の実施形態は、その他の実施形態に勝って好ましいまたは有利であると解釈されるとは限らない。
【００１８】
本明細書において開示される実施形態の多くの特徴は、コンピュータソフトウェア、電子ハードウェア、またはそれら両方の組合せとして実施することが可能である。ハードウェアおよびソフトウェアのこの交換可能性を分かりやすく説明するために、様々な成分は概してそれらの機能性の点で説明される。そのような機能性がハードウェアとして実施されるか、またはソフトウェアとして実施されるかは、特定のアプリケーションおよびシステム全体に課せられた設計制約に依存する。当業者は、説明された機能性をそれぞれの特定のアプリケーションに関して様々な様式で実施することができるが、そのような実施決定は本発明の範囲からの逸脱を生じさせるものと解釈されるべきではない。
【００１９】
説明される機能性がコンピュータソフトウェアとして実施される場合、そのようなソフトウェアは、メモリ装置内に配置されかつ／またはシステムバス上もしくはネットワーク上で電子信号として送信される任意のタイプのコンピュータ命令またはコンピュータ実行可能コードを含み得る。本明細書で説明される成分に関連する機能性を実施するソフトウェアは、単一の命令、または多くの命令を備えることが可能であり、いくつかの異なるコード区分上で、異なるプログラム間で、およびいくつかのメモリ装置の全域で分散され得る。
【００２０】
本明細書において使用される場合、用語「１つの実施形態」、「実施形態」、「複数の実施形態」、「その１つの実施形態」、「それらの複数の実施形態」、「１つまたは複数の実施形態」、「いくつかの実施形態」、「ある種の実施形態」、「一実施形態」、「別の実施形態」などは、特に明示的にその他の指定がない限り、「開示された（１つまたは複数の）発明の１つまたは複数の（しかしすべてとは限らない）実施形態」を意味する。
【００２１】
用語「決定すること」（およびその文法的な変形）は非常に広い意味で使用される。用語「決定すること」は、様々な動作を包括し、したがって、「決定すること」は、計算すること、演算すること、処理すること、導き出すこと、調査すること、調べること（例えば、表、データベースまたは別のデータ構造の中を調べること）、確認することなどを含み得る。また、「決定すること」は受信すること（例えば、情報を受信すること）、アクセスすること（例えば、メモリ内のデータにアクセスすること）などを含み得る。また、「決定すること」は、解明すること、選択すること、選ぶこと、確立することなどを含み得る。
【００２２】
句「基づく」は、明示的にその他の指定がない限り、「だけに基づく」ことを意味しない。すなわち、句「基づく」は「だけに基づく」および「少なくとも基づく」の両方を説明する。
【００２３】
本明細書において、アクセス端末（ＡＴ）と呼ばれる高データレート（ＨＤＲ）加入者局は、移動体であってよく、または静的であってもよく、本明細書において基地局トランシーバ（ＢＴＳ）と呼ばれる１つまたは複数のＨＤＲ基地局と通信することができる。アクセス端末は、１つまたは複数の基地局トランシーバを介して、本明細書において基地局コントローラ（ＢＳＣ）と呼ばれるＨＤＲ基地局コントローラに対してデータパケットを送受信することができる。基地局トランシーバおよび基地局コントローラは、アクセスネットワーク（ＡＮ）と呼ばれる場合があるネットワークの一部である。アクセスネットワークは、複数のアクセス端末間でデータパケットをトランスポートできる。アクセスネットワークは、企業イントラネットまたはインターネットなど、アクセスネットワークの外部の追加のネットワークにさらに接続されることが可能であり、それぞれのアクセス端末およびそのような外部ネットワークの間でデータパケットをトランスポートすることが可能である。１つまたは複数の基地局トランシーバとアクティブなトラヒックチャネル接続(active traffic channel connection)を確立したアクセス端末は、アクティブなアクセス端末(active access terminal)であり得、トラヒック状態(traffic state)であり得る。１つまたは複数の基地局トランシーバとアクティブなトラヒックチャネル接続を確立している最中であるアクセス端末は、接続セットアップ状態であり得る。アクセス端末は、無線チャネルを介してまたは、例えば、光ファイバもしくは同軸ケーブルを使用して、有線チャネルを介して通信する任意のデータ装置であってよい。アクセス端末はさらに、パーソナルコンピュータ（ＰＣ）カード、コンパクトフラッシュ（登録商標）、外部モデムもしくは内部モデム、または無線電話もしくは有線電話を含むが、これらに限定されない、いくつかのタイプの装置のいずれかであってよい。アクセス端末が信号を基地局トランシーバに送る通信リンクは逆方向リンクであってよい。基地局トランシーバが信号をアクセス端末に送る通信リンクは順方向リンクであってよい。
【００２４】
いくつかの通信システムでは、パケットはデータトラヒックを運ぶために使用することができる。そのようなシステムにおいて、データトラヒックを運んでいるパケットは、伝送チャネルのスロットを占有するサブパケットに分割することが可能である。例示を簡単にするために、エボリューションデータオプティマイズド(Evolution-Data Opitimized)（ＥＶＤＯ）システムの専門語が本明細書において使用される。そのような使用は、本明細書の実施形態の実施をＥＶＤＯシステムに限定することが意図されない。
【００２５】
基地局から基地局の範囲内で動作している遠隔局への順方向リンクは、複数のチャネルを含み得る。順方向リンクのチャネルのいくつかは、パイロットチャネル、同期チャネル、ページングチャネル、クイックページングチャネル、ブロードキャストチャネル、電力制御チャネル、割当てチャネル、制御チャネル、専用制御チャネル、媒体アクセス制御（ＭＡＣ）チャネル、基本チャネル、補助チャネル、補助コードチャネル、およびパケットデータチャネルを含み得るが、これらに限定されない。遠隔局から基地局への逆方向リンクも複数のチャネルを含む。それぞれのチャネルは異なるタイプの情報を目標宛先に運ぶ。通常、音声トラヒックは基本チャネル上で運ばれ、データトラヒックは補助チャネル上またはパケットデータチャネル上で運ばれる。補助チャネルは、通常、専用チャネルであり、一方、パケットデータチャネルは、通常、時間多重様式および符号多重化様式で異なる当事者に指定された信号を運ぶ。あるいは、パケットデータチャネルは共有補助チャネルとしても説明される。本明細書における実施形態を説明する目的で、補助チャネルおよびパケットデータチャネルは、通常、データトラヒックチャネルと呼ばれる。
【００２６】
音声トラヒックおよびデータトラヒックは、通常、順方向リンク上または逆方向リンク上での伝送の前に、符号化され、変調され、拡散される。符号化、変調、および拡散は様々な形式で実施することが可能である。ＥＶＤＯシステムにおいて、伝送形式は音声トラヒックおよびデータトラヒックが送信されているチャネルのタイプと、フェージングおよび干渉の点から説明され得るチャネルの状態とに依存する。
【００２７】
パケットデータシステムはデータを遠隔局に（すなわち、一度に１つの局から多くの局に）送信する。データ伝送は、制御情報を伴って、共有データトラヒックチャネル上の基地局から発生する。制御情報は、変調、コーディングおよび電力など、データ伝送のパラメータを含み得る。遠隔局に送信される制御情報の一部は、媒体アクセス制御識別子（ＭＡＣ  ＩＤ）である。ＭＡＣ  ＩＤは、遠隔局が通信システムに入った場合、独自の国際移動局識別子(International Mobile Station Identity)（ＩＭＳＩ）に従って遠隔局に割り当てられる。したがって、遠隔局専用のチャネルは、その遠隔局に割り当てられたＭＡＣ  ＩＤによって識別され得る。
【００２８】
いくつかのパケットデータシステムは、マルチキャストおよびブロードキャストなどのサービスを提供する。マルチキャストにおいて、同じ伝送は遠隔局のグループに送られる。ブロードキャストにおいて、同じ伝送は基地局の範囲内のすべての遠隔局に送られる。例えば、ビデオブロードキャストはシステムがビデオ流れ(video stream)をビデオストリーミングチャネル(video streaming channel)に加入するすべてのユーザに送信することを要求することになる。しかし、上述のように、パケットデータシステムは、通常、データを一度に１つの遠隔局に送信する。したがって、現在のパケットデータシステムにおいて、マルチキャストおよびブロードキャストは、それぞれの遠隔局に対して同じデータの独立した伝送を利用することができる。例えば、Ｎ個の遠隔局がシステム内に存在し、かつシステムが同じメッセージを遠隔局のすべてにブロードキャストする必要があった場合、システムは、それぞれの伝送をそれぞれの遠隔局のニーズに合わせて、同じ情報をＮ回送信することができる。本発明のシステムおよび方法は、順方向リンク上でマルチキャスティングを改善することによって、複数の受信者に対する同一のブロードキャストの重複から生じるチャネルリソースの無駄を除去することに関する。
【００２９】
図１は無線通信ネットワーク１００の一実施形態を例示するブロック図である。ネットワーク１００は、（加入者装置、ユーザ装置、遠隔局、移動局などとも呼ばれる）複数のアクセス端末（ＡＴ）１０２Ａ〜１０２Ｄを含む。ネットワーク１００はまた、複数の基地局トランシーバ（ＢＴＳ）１０４Ａ〜１０４Ｃ、（無線ネットワークコントローラもしくはパケット制御機能とも呼ばれる）基地局コントローラ（ＢＳＣ）１０６、移動体スイッチングセンター(mobile switching center)（ＭＳＣ）１０８、パケットデータサービングノード（ＰＤＳＮ）(packet data serving node)１１０またはインターネットワーキング機能(internetworking function)（ＩＷＦ）、公衆電話網(public switched telephone network)（ＰＳＴＮ）１１２（通常、電話会社）、インターネットプロトコル（ＩＰ）ネットワーク１１４（通常、インターネット）、およびマルチキャストサーバ１１８(multicast server)も含む。説明を簡単にするために、４つのアクセス端末１０２Ａ〜１０２Ｄと、３つの基地局トランシーバ１０４Ａ〜１０４Ｃと、１つの基地局コントローラ１０６と、１つの移動体スイッチングセンター１０８と、１つのＰＤＳＮ１１０と、１つのマルチキャストサーバ１１８とが示される。しかし、任意の数のアクセス端末１０２、基地局トランシーバ１０４、基地局コントローラ１０６、移動体スイッチングセンター１０８、ＰＤＳＮ１１０およびマルチキャストサーバ１１８が存在し得る。
【００３０】
一実施形態では、無線通信ネットワーク１００はパケットデータサービスネットワークである。アクセス端末１０２Ａ〜１０２Ｄは、携帯電話、セルラー電話、ＩＰベースのウェブブラウザアプリケーションを実行しているラップトップコンピュータに接続されたセルラー電話、関連するハンズフリーのカーキットを有するセルラー電話、ＩＰベースのウェブブラウザアプリケーションを実行しているパーソナルデータアシスタント（ＰＤＡ）、ポータブルコンピュータに組み込まれた無線通信モジュールまたは無線ローカルループもしくはメーター読取システムにおいて発見され得るような固定位置通信モジュール（fixed location communication module）など、いくつかの異なるタイプの無線通信装置のうちのいずれかであり得る。さらなる実施形態では、アクセス端末１０２Ａ〜１０２Ｄは任意のタイプの通信装置であり得る。アクセス端末１０２Ａ〜１０２Ｄは、例えば、ＥＩＡ／ＴＩＡ／ＩＳ−７０７標準において説明されるような１つまたは複数の無線パケットデータプロトコルを実行するために実施され得る。
【００３１】
一実施形態では、ＩＰネットワーク１１４はＰＤＳＮ１１０およびマルチキャストサーバ１１８に結合される。ＰＤＳＮ１１０は、ＭＳＣ１０８に結合されることが可能であり、ＭＳＣ１０８はＢＳＣ１０６およびＰＳＴＮ１１２に結合され得る。ＢＳＣ１０６は、例えば、Ｅ１、Ｔ１、非同期転送モード（ＡＴＭ）、ＩＰ、ＰＰＰ、フレームリレー、ＨＤＳＬ、ＡＤＳＬまたはｘＤＳＬを含むプロトコルに従って音声および／またはデータパケットの伝送のために利用される無線を介して基地局トランシーバ１０４Ａ〜１０４Ｃに結合され得る。代替の実施形態では、ＢＳＣ１０６はＰＤＳＮ１１０に直接的に結合され、ＭＳＣ１０８はＰＤＳＮ１１０に結合されない。
【００３２】
無線通信ネットワーク１００の動作中、基地局トランシーバ１０４Ａ〜１０４Ｃは、電話呼出し、ウェブブラウジングまたはその他のデータ通信に従事する様々なアクセス端末１０２Ａ〜１０２Ｄから逆方向信号のセットを受信して、復調する。所与の基地局トランシーバ１０４Ａ〜１０４Ｃによって受信されたそれぞれの逆方向信号は、その基地局トランシーバ１０４Ａ〜１０４Ｃ内で処理することができる。それぞれの基地局トランシーバ１０４Ａ〜１０４Ｃは、順方向信号のセットを変調して、アクセス端末１０２Ａ〜１０２Ｄに送信することによって、複数のアクセス端末１０２Ａ〜１０２Ｄと通信することができる。例えば、図１に示されるように、基地局トランシーバ１０４Ａは第１および第２のアクセス端末１０２Ａ、１０２Ｂと同時に通信し、基地局トランシーバ１０４Ｃは第３および第４のアクセス端末１０２Ｃ、１０２Ｄと同時に通信する。
【００３３】
基地局コントローラ１０６は、呼出リソース割当てと、特定のアクセス端末１０２Ａ〜１０２Ｄに対する呼の１つの基地局トランシーバ１０４Ａ〜１０４Ｃから別の基地局トランシーバ１０４Ａ〜１０４Ｃへのソフトハンドオフの編成(orchestration)を含めて、移動度管理機能性とを提供することが可能である。例えば、アクセス端末１０２Ｃは基地局トランシーバ１０４Ｂ、１０４Ｃと同時に通信している可能性がある。最終的に、アクセス端末１０２Ｃが基地局トランシーバのうちの１つ１０４Ｃから十分離れた場合、その呼はその他の基地局トランシーバ１０４Ｂにハンドオフされ得る。
【００３４】
伝送が電話呼出である場合、基地局コントローラ１０６は受信されたデータをＭＳＣ１０８に経路指定することができる。ＭＳＣ１０８は、ＰＳＴＮ１１２とインターフェースをとるために追加のルーティングサービスを提供することができる。伝送が、ＩＰネットワーク１１４宛のデータ呼出など、パケットベースの伝送である場合、ＭＳＣ１０８はそのデータパケットを、そのパケットをＩＰネットワーク１１４に送信できるＰＤＳＮ１１０に経路指定することができる。パケットはＩＰネットワーク１１４上でマルチキャストサーバ１１８に送信できる。加えて、マルチキャストサーバ１１８は、パケットをＩＰネットワーク１１４上でＰＤＳＮ１１０に送信できる。一実施形態では、ＢＳＣ１０６はパケットを、そのパケットをＩＰネットワーク１１４に送るＰＤＳＮ１１０に直接的に経路指定する。
【００３５】
図２は、基地局コントローラ２０６の一実施形態を例示するブロック図である。ＢＳＣ２０６は、どの（１つまたは複数の）アクセス端末が特定のグループに属するかを表示するマルチキャストグループリスト２０８を維持することができる。例示されるように、ＢＳＣ２０６は２つ以上のマルチキャストグループリスト２０８を維持することができる。一実施形態では、アクセス端末２０２がある地理的領域に入り、適切な識別を所有する場合、アクセス端末２０２は特定のマルチキャストグループのメンバーになることができる。例えば、アクセス端末２０２があるマルチキャストグループの地理的領域に入った場合、アクセス端末２０２に関連するアクセス端末識別子２１２が解析され得る。アクセス端末識別子２１２は、マルチキャストグループに関連するマルチキャストＩＰアドレス、アクセス端末２０２に関連する電話番号、アクセス端末２０２に関連するＭＡＣアドレス、アクセス端末２０２に関連する通し番号などを含み得る。アクセス端末２０２が適切な識別子２１２を所有する場合、アクセス端末２０２はマルチキャストグループリスト２０８に加えられる。
【００３６】
図３は、順方向リンク上でマルチキャスティングの効率を改善するための方法３００の一実施形態を例示する流れ図である。方法３００は、図１に例示されるネットワーク１００など、無線通信ネットワーク内で実施することが可能である。一実施形態では、データパケットはマルチキャストサーバ１１８に送られる３０２。データパケットは、既に説明されたように、そのようなデータに関するデータおよび制御情報を含み得る。データパケットはアクセス端末１０２Ａから送る３０２ことができる。
【００３７】
マルチキャストサーバはデータパケットを処理して３０４、そのデータパケットのコピーを送信する３０６。データパケットのコピーはマルチキャストＩＰアドレスにアドレス指定することが可能である。したがって、データパケットはマルチキャストＩＰアドレスに送信する３０６ことが可能である。一実施形態では、マルチキャストＩＰアドレスは、当該受信者（例えば、アクセス端末１０２Ｂ〜１０２Ｄ）のグループと関連付けられることが可能である。データパケットはマルチキャストＩＰアドレスに送ることが可能であり、ルータ（すなわち、ＰＤＳＮ１１０）はデータパケットの１つまたは複数のコピーを作成することができる。データパケットの１つまたは複数のコピーは基地局コントローラ１０６にマルチキャストする３０８ことが可能である。
【００３８】
一実施形態では、基地局コントローラ１０６はデータパケットの単一のコピーを基地局トランシーバ１０４Ａに転送することができる３１０。基地局コントローラ１０６は、マルチキャストＭＡＣ識別子を使用して単一のコピーを転送することができる３１０。マルチキャストＭＡＣ識別子は、基地局トランシーバ１０４に対応するセクタ内の複数のユーザ（すなわち、アクセス端末１０２）に割り当てられることが可能である。アクセス端末が基地局トランシーバ１０４に関連するセクタ内に入る場合、個々のアクセス端末１０２にマルチキャストＭＡＣ識別子を動的に割り当てることが可能である。アクセス端末１０２が基地局トランシーバ１０４に関連するセクタを離れる場合、マルチキャストＭＡＣ識別子を動的に解除することも可能である。一実施形態では、データパケットの追加のコピーは破棄されて３１２、その結果、データパケットの単一のコピーだけが基地局トランシーバ１０４に転送される３１０。
【００３９】
システムは異なる種類のマルチキャストグループをサポートすることが可能である。マルチキャストグループは、一時的であってよく、または固定であってもよい。固定マルチキャストグループは、マルチキャストグループ識別子、マルチキャストＩＰアドレスおよびマルチキャストポートなど、よく知られている識別子を用いてネットワーク（アクセスネットワーク、ＰＤＳＮおよびマルチキャストサーバ）において管理上、提供される。ＢＳＣには、マルチキャストグループ識別から無線リンクプロトコル（ＲＬＰ）流れ番号(a Radio Link Protocol (RLP) flow number)への関連性(association)が提供され得る。警察および消防士などの公務グループが固定マルチキャストグループの例である。マルチキャストグループ接続において何らのユーザまたはアクセス端末が存在しない場合でも、固定マルチキャストグループは常にシステム内に存在する。固定マルチキャストグループに関する識別子は予約され、一時的なマルチキャストグループによる使用に関して利用可能でない。一時的なマルチキャストグループは、任意の所与の時点でアクセス端末のサブセット間のプッシュツートーク（ＰＴＴ）セッションなど、臨時ベースで形成される。一時的なマルチキャストグループは、マルチキャストグループ接続においてアクティブなアクセス端末が存在する限り存在する。一時的なマルチキャストグループ識別子は、マルチキャストグループ接続のセットアップ時にだけ確立され、接続の終了時に除去される。
【００４０】
マルチキャストグループ向けのデータパケットを受信するために、アクセス端末はＰＤＳＮに至るまで専用のデータ経路を確立することができる。これはＰＤＳＮとＢＳＣの間に専用の補助Ａ１０チャネルおよびＢＳＣとアクセス端末の間に専用のＲＬＰ流れを確立することを必要とする。一実施形態では、専用のデータ経路確立およびその後のマルチキャストグループ接続セットアップ手順は、任意の所与の時点でユーザすなわちアクセス端末に関する１つの一時的なマルチキャストグループ接続だけをサポートするために最適化することが可能である。別の実施形態では、専用のデータ経路確立およびその後のマルチキャストグループ接続セットアップ手順は、任意の所与の時点でユーザすなわちアクセス端末に関する複数の一時的なマルチキャストグループ接続をサポートすることが可能である。これらの実施形態のいずれにおいても、ユーザすなわちアクセス端末は同時に複数の固定マルチキャストグループ接続をサポートすることも可能である。
【００４１】
図４は、任意の所与の時点で１つの一時的なマルチキャストグループ接続だけをサポートするために専用のデータ経路がアクセス端末４０４によって確立されている一実施形態を例示するスレッド図である。データパケットはこの確立されたデータ経路接続上でＰＤＳＮ４１０によって送信できる。アクセス端末４０４は、まず基地局コントローラとセッション(session)４１４を確立することができる。基地局コントローラ４０８は、ＰＤＳＮ４１０とＡ１１接続(A11 connection)４１６を確立することができる。
【００４２】
一実施形態では、マルチキャストサーバ(multicast server)４１２はＰＴＴサーバである。別の実施形態では、マルチキャストサーバ４１２はプッシュツートークオーバーセルラー(push to talk over cellular)（ＰｏＣ）である。単一のアクセス端末４０４および複数のアクセス端末４０２など、ネットワーク内のそれぞれのアクセス端末は、ＲＬＰ流れ(RLP flow)と補助Ａ１０チャネルとを確立することができる。既に述べたように、補助Ａ１０チャネルはある種のデータトラヒック専用であり得る。ＲＬＰ流れは、基地局コントローラ４０８で補助Ａ１０チャネルに結合され得る。このデータ経路は、マルチキャストサーバ４１２とのマルチキャストグループ接続が確立される前に、事前に確立できる。
【００４３】
単一のアクセス端末４０４は流れ予約要求(flow reservation request)４１８Ａを基地局コントローラ４０８に送ることが可能である。流れ予約要求４１８Ａは、ＩＰ流れ(IP flow)に関する識別と、ＲＬＰ流れ予約が要求されるサービス品質（ＱｏＳ）パラメータとを含み得る。流れ予約要求４１８Ａは、流れ予約が一時的なマルチキャストグループＩＰ流れに関するものであるという表示を含むことも可能である。基地局コントローラ４０８は、ＩＰ流れに対して付与されるＱｏＳパラメータを含み得る流れ予約応答(flow reservation response)４２０Ａを送信することによって応答できる。基地局コントローラ４０８はＲＬＰ流れをアクティブにする(activate)ためにフローアクティベーション(flow activation)４２２を送ることができる。基地局コントローラ４０８は、流れ予約要求４１８Ａにおいて表示されたＩＰ流れに関するアクティブにされたＲＬＰ流れ(activated RLP flow)を割り当てるために流れ予約４２４を送ることができる。
【００４４】
一実施形態では、基地局コントローラ４０８は、Ａ１１登録要求４２６ＢをＰＤＳＮ４１０に送信する。Ａ１１登録要求４２６Ｂは、ＩＰ流れ識別と、補助Ａ１０チャネルが確立されることになるＩＰ流れの付与されたサービス品質（ＱｏＳ）パラメータとを含み得る。ＰＤＳＮ４１０は、補助Ａ１０チャネルの成功裏の確立を表示する登録応答４２８Ｂを送信することによって応答できる。
【００４５】
アクセス端末４０４はまた、予約４３０をＰＤＳＮ４１０に送信することも可能である。予約４３０はパケットフィルタとＩＰ流れ識別とを含み得る。ＰＤＳＮ４１０は予約確認４３２を送信できる。一実施形態では、パケットフィルタは、一時的なマルチキャストグループ向けのデータトラヒックが予め確立された専用補助Ａ１０チャネル内にフィルタ処理されるように、ＰＤＳＮ４１０でセットアップされ得る。アクセス端末４０４は、基地局コントローラ４０８に対するエアインターフェースメッセージングを介してマルチキャストグループＩＤを表示することができる。マルチキャストグループＩＤは、マルチキャストグループ接続のセットアップの間に様々なアクセス端末上のアプリケーション間で交換されたメッセージを信号で知らせる、アクセス端末４０４上で実行しているアプリケーションから導き出すことが可能である。図４において説明されるステップ４１４〜４３２は、ネットワーク内に含まれるそれぞれのアクセス端末４０２に関して繰り返すことが可能である。
【００４６】
図５は、１つまたは複数のアクセス端末５０２、５０４と、マルチキャストＩＰアドレスを利用しているマルチキャストサーバ５１２の間で確立されている一時的なマルチキャストグループ接続の一実施形態を例示するスレッド図である。この図は、アクセス端末が任意の所与の時点で１つの一時的なマルチキャストグループ接続をサポートすることが可能な場合のマルチキャストグループ接続セットアップ手順を例示する。第１のアクセス端末５０４は、Ｎ番目のアクセス端末５０２（ＡＴ  Ｎ）に至るまで、第２のアクセス端末、第３のアクセス端末などに情報をマルチキャストすることができる。一実施形態では、アクセス端末５０４は呼出要求(call request)５１４をマルチキャストサーバ５１２に送る。マルチキャストサーバは、呼出発表５１６(call announcement)をＡＴ  Ｎ５０２によって表される１つまたは複数のアクセス端末に送ることができる。呼出発表５１６は、呼出識別、マルチキャストＩＰアドレスおよびマルチキャストポートなどのパラメータを含み得る。マルチキャストサーバ５１２は、データをグループ内のそれぞれのアクセス端末５０２、５０４に送信するために５１６において表示されたマルチキャストＩＰアドレスおよびマルチキャストポートを使用することができる。
【００４７】
複数のアクセス端末５０２内のアクセス端末はグループ通知５１８Ａを基地局コントローラ５０８に送るために呼出発表５１６内に含まれたパラメータを使用することができる。グループ通知５１８Ａはマルチキャストグループを識別するためのマルチキャストグループＩＰアドレスを含み得る。それぞれのアクセス端末４０２はアドレスに参加(join address)５２０Ａ通知をパケットデータサービシングノード（ＰＤＳＮ）５１０に送ることができる。ＰＤＳＮ５１０はＩＰマルチキャスティングのために要求されるマルチキャストエージェント機能を実施することができる。すなわち、グループ内のそれぞれのアクセス端末５０２は、ＰＤＳＮ５１０に根付いたマルチキャストＩＰアドレスグループに参加する。マルチキャストＩＰアドレスグループへのアクセス端末５０２の参加は、インターネットグループ管理プロトコル（ＩＧＭＰ）を使用して実施され得る。
【００４８】
アクセス端末５０２は、マルチキャストＩＰアドレスグループに参加した後で、呼出受入れ(call accept)５２２通知をマルチキャストサーバ５１２に送ることができる。基地局コントローラ５０８は、チャネル割当て５２４Ａをそれぞれのアクセス端末５０２に送る。チャネル割当て５２４Ａは、それぞれのアクセス端末５０２と基地局トランシーバの間で通信が実施され得るチャネルを表示する。チャネル割当て５２４Ａは、マルチキャストデータを送信するために割り当てられたマルチキャストＭＡＣ  ＩＤを含み得る。
【００４９】
マルチキャストサーバ５１２は、呼出付与(call grant)５２６をマルチキャストグループ接続を発生させたアクセス端末５０４に送ることができる。呼出付与５２６は、マルチキャストグループ接続の成功裏のセットアップを表示し、呼出識別、マルチキャストＩＰアドレスおよびマルチキャストポートなどのパラメータを含み得る。アクセス端末５０４は、マルチキャストグループに割り当てられたマルチキャストＩＰアドレスを表示するグループ通知５１８Ｂを基地局コントローラ５０８に送ることができる。アクセス端末５０４は、アドレスに参加５２０Ｂ通知をＰＤＳＮ５１０に送ることも可能である。すなわち、アクセス端末５０４はＰＤＳＮに根付いたマルチキャストＩＰアドレスグループに参加することができる。アクセス端末５０４はＩＧＭＰプロトコルを経由してグループに参加することができる。基地局コントローラ５０８は、チャネル割当て５２４Ｂをアクセス端末５０４に送ることが可能である。チャネル割当て５２５Ｂは、マルチキャストデータを送信するために割り当てられたマルチキャストＭＡＣ  ＩＤを含み得る。
【００５０】
基地局コントローラ５０８は、グループ通知５１８Ａ内のアクセス端末によって基地局コントローラに通知されたマルチキャストグループを経由して同じマルチキャストグループに属するそれぞれのアクセス端末に気づくことができる。一実施形態では、基地局コントローラ５０８は、「リーダー」ＲＬＰ流れ(“leader” RLP flow)として機能するためにマルチキャストグループに関して確立されているＲＬＰ流れのうちの１つを選ぶ。先に説明されたように、基地局コントローラ５０８は、マルチキャストグループ接続内のアクセス端末のそれぞれに関する専用補助Ａ１０チャネル上でＰＤＳＮ５１０からパケットを受信して、そのパケットをそのパケットに割り当てられたＲＬＰ流れに転送することができる。「リーダー」ＲＬＰ流れは、マルチキャストＭＡＣ  ＩＤを使用して無線伝送のために(for over the air transmission using the multicast MAC ID)、基地局トランシーバに、そのパケットを転送することができる。非リーダーＲＬＰ流れはそれぞれのパケットを破棄して、ドロップする(drop)。「リーダー」ＲＬＰ流れを有するアクセス端末がマルチキャストグループ接続を離れる場合またはサービス提供している基地局コントローラ５０８のサービス領域から地理的に離れる場合、新しい「リーダー」ＲＬＰ流れとして別のアクセス端末のＲＬＰ流れを選択することができる。
【００５１】
一実施形態では、アクセス端末５０４または複数のアクセス端末５０２内のアクセス端末のうちの１つは、マルチキャストサーバ５１２との接続を終了することができる。マルチキャストサーバ５１２との接続が終了すると、アクセス端末５０２、５０４はＩＧＭＰプロトコルを経由してマルチキャストＩＰアドレスグループを離れることが可能である。
【００５２】
図６は、マルチキャストＩＰアドレスを使用したデータ流れの一実施形態を例示するスレッド図である。例示されたデータ流れはアクセス端末ごとに単一の一時的なマルチキャストグループ接続、アクセス端末ごとに複数の固定マルチキャストグループ接続、およびアクセス端末ごとに複数の一時的なマルチキャストグループ接続をサポートすることができる。
【００５３】
一実施形態では、単一のアクセス端末６０４はデータパケット６１４をマルチキャストサーバ６１２に送ることができる。一実施形態では、データパケット６１４を送る単一のアクセス端末６０４は、マルチキャストサーバ６１２との接続を維持する。データパケット６１４は、宛先ＩＰアドレスとしてマルチキャストサーバ６１２に関するＩＰアドレスを含むＩＰパケットであり得る。マルチキャストサーバ６１２は、データパケット６１４を受信して、処理することができる。サーバ６１２は、次いで、データパケットをＰＤＳＮ６１０に送信することができる。データパケット６１４がマルチキャストサーバ６１２から送信される場合、パケット６１４の宛先はアクセス端末のグループに関連するマルチキャストＩＰアドレスを含み得る。
【００５４】
一実施形態では、ＰＤＳＮ６１０は受信されたデータパケット６１４をマルチキャストする。複数のアクセス端末６０２内のアクセス端末のそれぞれは、ＰＤＳＮ６１０とのマルチキャストグループ接続トラヒック専用の補助Ａ１０チャネルと関連づけられることが可能である。一実施形態では、マルチキャストサーバ６１２はプッシュツートーク（ＰＴＴ）サーバであり、補助Ａ１０チャネルはＰＴＴトラヒック専用である。ＰＤＳＮ６１０は、データパケット６１４のコピーをそれぞれの補助Ａ１０チャネル上にマルチキャストすることができる。ＰＤＳＮ６１０はマルチキャストルータであり得る。一実施形態では、１つまたは複数の介入ルータ(intervening routers)をマルチキャストサーバ６１２とＰＤＳＮ６１０の間に配置することが可能である。介入ルータは、データパケット６１４をＰＤＳＮ６１０にマルチキャストするためにマルチキャスティングする能力を有することも可能である。しかし、マルチキャストサーバ６１２およびＰＤＳＮ６１０は同じサブネット上で提供されることが可能であり、その場合、何の介入ルータも存在し得ない。
【００５５】
一実施形態では、基地局コントローラ６０８は、ＰＤＳＮ６１０から送られたデータパケット６１４のコピーを受信する。基地局コントローラ６０８は、データパケット６１４のコピーを基地局トランシーバ６０６に転送することができる。基地局コントローラ６０８は、ＰＤＳＮ６１０から受信されたデータパケット６１４の追加のコピーを破棄することもできる。一実施形態では、基地局トランシーバ６０６は、無線伝送を利用して、データパケット６１４の単一のコピーを複数のアクセス端末６０２内のそれぞれのアクセス端末に送信する。基地局トランシーバ６０６は、データパケット６１４の単一のコピーを送信するために複数のアクセス端末６０２に集合的に割り当てられたマルチキャストＭＡＣ  ＩＤを使用することができる。一実施形態では、パケット６１４が複数６０２内のアクセス端末のそれぞれが加入している同じマルチキャストＩＰアドレスに割り当てられると、複数のアクセス端末６０２内のそれぞれのアクセス端末は、受信されたデータパケット６１４を処理することができる。アクセス端末６０４はデータパケット６１４を発生させたため、アクセス端末６０４はデータパケット６１４を受信して、破棄することも可能である。一実施形態では、アクセス端末６０４は、アクセス端末６０４のユニキャストＩＰアドレスを表示し得るソースＩＰアドレスに基づいてデータパケット６１４を破棄することができる。別の実施形態では、マルチキャストグループ接続はＰＴＴ呼出であってよく、半二重である。この場合、アクセス端末６４０もデータパケットを送信しているため、アクセス端末６０４は任意の受信されたデータパケットを破棄することが可能である。マルチキャストサーバ６１２は、そのそれぞれがそれぞれのアクセス端末に関連するユニキャストＩＰアドレスにアドレス指定された複数のコピーの代わりに、（マルチキャストＩＰアドレス宛の）１つのパケット６１４を送信する。
【００５６】
図７は、マルチキャストサーバ７１２と１つまたは複数のアクセス端末７０２、７０４の間で終了している一時的なマルチキャストグループ接続の一実施形態を例示するスレッド図である。図７で例示されるスレッド図は、アクセス端末７０２、７０４が任意の所与の時点で１つの一時的なマルチキャストグループ接続だけをサポートすることが可能な場合を例示し得る。単一のアクセス端末７０４は、呼出終了７１４Ａ通知(call end 714A notification)をマルチキャストサーバ７１２に送ることができる。マルチキャストサーバ７１２は、呼出終了７１４Ｂ通知(call end 714B notification)を複数のアクセス端末７０２に送ることができる。複数のアクセス端末７０２は、グループ通知７１６Ａを基地局コントローラ７０８に送信することができる。グループ通知７１６ＡはマルチキャストグループＩＰアドレスを含み、そのアクセス端末がマルチキャストグループ接続を離れていることを表示することが可能である。複数のアクセス端末７０２は、アドレスを離れる７１８Ａ通知(leave address 718A notification)をＰＤＳＮ７１０に送ることも可能である。一実施形態では、アドレスを離れる７１８Ａ通知は、複数のアクセス端末７０２がマルチキャストＩＰアドレスグループを離れている(are leaving)ことを表示する。したがって、複数のアクセス端末７０２はもはやマルチキャストＩＰアドレスと関連づけられない。アドレスを離れる７１８Ａ通知は、ＩＧＭＰプロトコルを利用して送ることが可能である。
【００５７】
複数のアクセス端末７０２は、呼出終了肯定応答７２０Ａメッセージ(call end acknowledge 720A message)をマルチキャストサーバ７１２に送信することも可能である。基地局コントローラ７０８はチャネル割当て７２２Ａを複数のアクセス端末７０２に送ることができる。チャネル割当て７２２Ａは、マルチキャストＭＡＣ  ＩＤが複数のアクセス端末７０２に関連しないことを表示できる。
【００５８】
一実施形態では、マルチキャストサーバ７１２は呼出終了肯定応答７２０Ｂ(call end acknowledge 720B)を単一のアクセス端末７０４に送る。単一のアクセス端末７０４は、グループ通知７１６Ｂを基地局コントローラ７０８に送信することが可能である。グループ通知７１６Ｂは、アクセス端末がマルチキャストグループ接続を離れていることを表示することができる。単一のアクセス端末７０４は、アドレスを離れる７１８Ｂ通知(leave address 718B notification)をさらにＰＤＳＮ７１０に送ることが可能である。アドレスを離れる通知７１６Ｂは、単一のアクセス端末７０４がもはやマルチキャストＩＰアドレスグループに関連しないことを表示できる。したがって、単一のアクセス端末７０４はもはやマルチキャストＩＰアドレスと関連づけられない。基地局コントローラ７０８は、チャネル割当て７２２Ｂを単一のアクセス端末７０４に送ることも可能である。チャネル割当て７２２Ｂは、マルチキャストＭＡＣ  ＩＤがアクセス端末７０４に関連しないことを表示できる。
【００５９】
図８は、アクセス端末に関する複数の固定グループ接続をサポートするために、アクセス端末８０４によって確立されている専用データ経路の一実施形態を例示するスレッド図である。データパケットは、この確立されたデータ経路接続上でＰＤＳＮ８１０によって送信できる。アクセス端末８０４はまず基地局コントローラとセッション８１４を確立することができる。基地局コントローラ８０８はＰＤＳＮ８１０とＡ１１接続８１６を確立することができる。
【００６０】
一実施形態では、マルチキャストサーバ８１２はＰＴＴサーバである。別の実施形態では、マルチキャストサーバ８１２はＰｏＣである。単一のアクセス端末８０４および複数のアクセス端末８０２など、ネットワーク内のそれぞれのアクセス端末は、ＲＬＰ流れと補助Ａ１０チャネルとを確立することが可能である。既に述べたように、補助Ａ１０チャネルはある種のデータトラヒック専用であってよい。ＲＬＰ流れは基地局コントローラ８０８で補助Ａ１０チャネルに結合され得る。このデータ経路は、マルチキャストサーバ８１２との固定マルチキャストグループ接続が確立される前に、事前に確立できる。
【００６１】
単一のアクセス端末８０４は、流れ予約要求８１８Ａを基地局コントローラ８０８に送ることが可能である。流れ予約要求８１８Ａは、ＩＰ流れに関する識別と、ＲＬＰ流れ予約が要求されるＱｏＳパラメータとを含み得る。流れ予約要求８１８Ａは、流れ予約が特定の固定マルチキャストグループ（例えば、警察）に関するという表示を含むことも可能である。基地局コントローラ８０８は、ＩＰ流れのために付与されたＱｏＳパラメータを含み得る流れ予約応答８２０Ａを送信することによって応答できる。基地局コントローラ８０８は、流れ予約要求８１８Ａにおいて表示された特定の固定マルチキャストグループに関して提供されるＲＬＰ流れをアクティブにする(activate)８２２ことが可能である。基地局コントローラ８０８は、流れ予約要求８１８Ａにおいて表示されたＩＰ流れに関するアクティブにされたＲＬＰ流れ(activated RLP flow)を割り当てるために流れ予約８２４を送ることができる。
【００６２】
一実施形態では、基地局コントローラ８０８はＡ１１登録要求８２６Ｂ(A11 registration request 826B)をＰＤＳＮ８１０に送信する。Ａ１１登録要求８２６Ｂは、ＩＰ流れ識別と、補助Ａ１０チャネルが確立されることになるＩＰ流れの付与されたＱｏＳパラメータとを含み得る。ＰＤＳＮ８１０は、補助Ａ１０チャネルの成功裏の確立を表示する登録応答８２８Ｂ(registration reply 828B)を送信することによって応答できる。
【００６３】
アクセス端末８０４は、予約８３０をＰＤＳＮ８１０に送信することも可能である。予約８３０はパケットフィルタおよびＩＰ流れ識別を含み得る。ＰＤＳＮ８１０は予約確認８３２を送信できる。一実施形態では、パケットフィルタは、固定マルチキャストグループ向けのデータトラヒックが予め確立された専用補助Ａ１０チャネル内にフィルタ処理されるように、ＰＳＤＮ８１０でセットアップされ得る。アクセス端末８０４は、基地局コントローラ８０８に対するエアインターフェースメッセージングを経由してマルチキャストグループＩＤを表示することができる。マルチキャストＩＤは、マルチキャストグループ接続のセットアップの間に様々なアクセス端末上のアプリケーション間で交換されたメッセージを信号で知らせる、アクセス端末８０４上で実行しているアプリケーションから導き出すことが可能である。図８において説明されるステップ８１４〜８３２は、ネットワーク内に含まれるそれぞれのアクセス端末８０２に関して繰り返すことが可能である。
【００６４】
図９は、１つまたは複数のアクセス端末９０２、９０４とマルチキャストサーバ９１２の間で確立されている固定マルチキャストグループ接続の一実施形態を例示するスレッド図である。第１のアクセス端末９０４はＮ番目のアクセス端末９０２（Ａｔ  Ｎ）に至るまで、第２のアクセス端末、第３のアクセス端末などに情報をマルチキャストすることができる。一実施形態では、アクセス端末９０４は呼出要求９１４をマルチキャストサーバ９１２に送る。マルチキャストサーバは、呼出発表９１６をＡＴ  Ｎ９０２によって表される１つまたは複数のアクセス端末に送ることができる。呼出発表９１６は、呼出識別、マルチキャストＩＰアドレスおよびマルチキャストポートなどのパラメータを含み得る。マルチキャストサーバ９１２は、データをグループ内のそれぞれのアクセス端末９０２、９０４に送信するために、９１６において表示されたマルチキャストＩＰアドレスおよびマルチキャストポートを使用することができる。
【００６５】
複数のアクセス端末９０２内のアクセス端末は、グループ通知９１８Ａを基地局コントローラ９０８に送るために呼出発表９１６内に含まれたパラメータを使用することができる。グループ通知９１８Ａは、マルチキャストグループを識別するためのマルチキャストＩＰアドレスを含み得る。それぞれのアクセス端末９０２は、アドレスに参加９２０Ａ通知(join address 920A notification)をＰＤＳＮ９１０に送ることができる。ＰＤＳＮ９１０は、ＩＰマルチキャスティングのために要求されるマルチキャストエージェント機能を実施することができる。すなわち、グループ内のそれぞれのアクセス端末９０２は、ＰＤＳＮ９１０に根付いたマルチキャストＩＰアドレスグループに参加する。マルチキャストＩＰアドレスグループへのアクセス端末９０２の参加は、ＩＧＭＰを使用して実施され得る。
【００６６】
それぞれのアクセス端末９０２は、マルチキャストＩＰアドレスグループに参加した後で、呼出受入れ９２２通知(call accept 922 notification)をマルチキャストサーバ９１２に送ることができる。基地局コントローラ９０８は、チャネル割当て９２４Ａをそれぞれのアクセス端末９０２に送る。チャネル割当て９２４Ａは、それぞれのアクセス端末９０２と基地局トランシーバの間で通信が実施され得るチャネルを表示する。チャネル割当て９２４Ａは、マルチキャストデータを送信するために割り当てられたマルチキャストＭＡＣ  ＩＤを含み得る。
【００６７】
マルチキャストサーバ９１２は、呼出付与９２６をマルチキャストグループ接続を発生させたアクセス端末９０４に送ることができる。呼出付与９２６は、マルチキャストグループ接続の成功裏のセットアップを表示し、呼出識別、マルチキャストＩＰアドレスおよびマルチキャストポートなどのパラメータを含み得る。アクセス端末９０４は、マルチキャストグループに割り当てられたマルチキャストＩＰアドレスを表示するグループ通知９１８Ｂを基地局コントローラ９０８に送ることができる。アクセス端末９０４は、アドレスに参加９２０Ｂ通知をＰＤＳＮ９１０に送ることも可能である。すなわち、アクセス端末９０４はＰＤＳＮ９１０に根付いたマルチキャストＩＰアドレスグループに参加することができる。アクセス端末９０４はＩＧＭＰプロトコルを経由してマルチキャストＩＰアドレスグループに参加することができる。基地局コントローラ９０８は、チャネル割当て９２４Ｂをアクセス端末９０４に送ることが可能である。チャネル割当て９２４Ｂは、マルチキャストデータを送信するために割り当てられたマルチキャストＭＡＣ  ＩＤを含み得る。
【００６８】
基地局コントローラは、エアインターフェースメッセージ内でアクセス端末によって基地局コントローラに報告されたマルチキャストグループＩＤを経由して同じグループに属するそれぞれのアクセス端末に気づくことができる。一実施形態では、基地局コントローラ８０８は、「リーダー」ＲＬＰ流れとして機能するために確立されているＲＬＰ流れのうちの１つを選ぶ。先に説明されたように、基地局コントローラ８０８は、マルチキャストグループ接続内のアクセス端末のそれぞれに関する専用補助Ａ１０チャネル上でＰＤＳＮ８１０からパケットを受信して、そのパケットをそのパケットに割り当てられたＲＬＰ流れに転送することができる。「リーダー」ＲＬＰ流れは、マルチキャストＭＡＣ  ＩＤを使用して無線伝送のために基地局トランシーバにそのパケットを転送することができる。非リーダーＲＬＰ流れはそれらのそれぞれのパケットを破棄して、ドロップする。
【００６９】
一実施形態では、アクセス端末９０４または複数のアクセス端末９０２内のアクセス端末のうちの１つは、マルチキャストサーバ９１２との接続を終了することができる。マルチキャストサーバ９１２との接続が終了すると、アクセス端末９０２、９０４はＩＧＭＰプロトコルを経由してマルチキャストＩＰアドレスグループを離れることが可能である。
【００７０】
図１０は、マルチキャストサーバ１０１２と１つまたは複数のアクセス端末１００２、１００４の間で終了している固定マルチキャストグループ接続の一実施形態を例示するスレッド図である。図１０で例示されるスレッド図は、アクセス端末１００２、１００４が同時に複数の固定マルチキャストグループ接続をサポートすることが可能な場合を例示し得る。単一のアクセス端末１００４は、呼出終了１０１４Ａ通知をマルチキャストサーバ１０１２に送ることができる。マルチキャストサーバ１０１２は、呼出終了１０１４Ｂ通知を複数のアクセス端末１００２に送ることができる。複数のアクセス端末１００２は、グループ通知１０１６Ａを基地局コントローラ１００８に送信することができる。グループ通知１０１６ＡはマルチキャストグループＩＰアドレスを含み、そのアクセス端末がマルチキャストグループ接続を離れていることを表示することが可能である。複数のアクセス端末１００２は、アドレスを離れる１０１８Ａ通知をＰＤＳＮ１０１０に送ることも可能である。一実施形態では、アドレスを離れる１０１８Ａ通知は、アクセス端末１００２がマルチキャストＩＰアドレスグループを離れていることを表示する。複数のアクセス端末１００２はもはやマルチキャストＩＰアドレスと関連づけられない。アドレスを離れる１０１８Ａ通知は、ＩＧＭＰプロトコルを利用して送ることが可能である。
【００７１】
複数のアクセス端末１００２は、呼出終了肯定応答１０２０Ａメッセージをマルチキャストサーバ１０１２に送信することも可能である。基地局コントローラ１００８はチャネル割当て１０２２Ａを複数のアクセス端末１００２に送ることができる。チャネル割当て１０２２Ａは、マルチキャストＭＡＣ  ＩＤが複数のアクセス端末１００２に関連しないことを表示できる。
【００７２】
一実施形態では、マルチキャストサーバ１０１２は呼出終了肯定応答１０２０Ｂを単一のアクセス端末１００４に送る。単一のアクセス端末１００４は、グループ通知１０１６Ｂを基地局コントローラ１００８に送信できる。グループ通知１０１６Ｂは、マルチキャストグループＩＰアドレスを含み、アクセス端末がマルチキャストグループ接続を離れていることを表示することが可能である。単一のアクセス端末１００４は、アドレスを離れる１０１８Ｂ通知をさらにＰＤＳＮ１０１０に送ることが可能である。アドレスを離れる通知１０１６Ｂは、単一のアクセス端末１００４がもはやマルチキャストＩＰアドレスに関連しないことを表示できる。基地局コントローラ１００８は、チャネル割当て１０２２Ｂを単一のアクセス端末１００４に送ることも可能である。チャネル割当て１０２２Ｂは、マルチキャストＭＡＣ  ＩＤがアクセス端末１００４に関連しないことを表示できる。
【００７３】
図１１は、複数の一時的なマルチキャストグループ接続をサポートするために、アクセス端末１１０４によって確立されている専用データ経路の一実施形態を例示するスレッド図である。データパケットは、この確立されたデータ経路接続上でＰＤＳＮ１１１０によって送信できる。アクセス端末１１０４はまず基地局コントローラ１１０８とセッション１１１４を確立することができる。基地局コントローラ１１０８はＰＤＳＮ１１１０とＡ１１接続１１１６を確立することができる。
【００７４】
一実施形態では、マルチキャストサーバ１１１２はＰＴＴサーバである。別の実施形態では、マルチキャストサーバ１１１２はＰｏＣである。単一のアクセス端末１１０４および複数のアクセス端末１１０２など、ネットワーク内のそれぞれのアクセス端末は、ＲＬＰ流れと補助Ａ１０チャネルとを確立することが可能である。既に述べたように、補助Ａ１０チャネルはある種のデータトラヒック専用であってよい。ＲＬＰ流れは基地局コントローラ１１０８で補助Ａ１０チャネルに結合され得る。このデータ経路は、マルチキャストサーバ１１１２との固定マルチキャストグループ接続が確立される場合に完成され得る。
【００７５】
単一のアクセス端末１１０４は、流れ予約要求１１１８Ａを基地局コントローラ１１０８に送ることができる。流れ予約要求１１１８Ａは、ＩＰ流れに関する識別と、ＲＬＰ流れ予約が要求されるＱｏＳパラメータとを含み得る。流れ予約要求１１１８Ａは、流れ予約が一時的なマルチキャストグループＩＰ流れに関するという表示を含むことも可能である。本明細書で例示される実施形態では、アクセス端末は２つ以上の一時的なマルチキャストグループに関する予約を確立することができる。基地局コントローラ１１０８は、接続が一時的なマルチキャストグループに関して確立されている場合、そのグループに属しているすべてのアクセス端末内の割当てのために利用可能な同じＲＬＰ流れを見つける可能性を最大限にすることになるように、一時的なマルチキャストグループに関するＲＬＰ流れを予約することができる。基地局コントローラ１１０８は、ＩＰ流れのために付与されたＱｏＳパラメータを含み得る流れ予約応答１１２０Ａを送信することによって応答できる。基地局コントローラ１１０８は、ＲＬＰ流れをアクティブにするためにフローアクティベーション１１２２を送ることができる。基地局コントローラ１１０８は、流れ予約要求１１１８Ａにおいて表示されたＩＰ流れに関するアクティブにされたＲＬＰ流れを割り当てるために流れ予約１１２４を送ることができる。
【００７６】
一実施形態では、基地局コントローラ１１０８はＡ１１登録要求１１２６ＢをＰＤＳＮ１１１０に送信する。Ａ１１登録要求１１２６Ｂは、ＩＰ流れ識別と、補助Ａ１０チャネルが確立されることになるＩＰ流れの付与されたサービス品質パラメータとを含み得る。ＰＤＳＮ１１１０は、補助Ａ１０チャネルの成功裏の確立を表示する登録応答１１２８Ｂを送信することによって応答できる。
【００７７】
ステップ１１１８Ａ〜１１２８Ｂは、別の一時的なマルチキャストグループＩＰ流れに関してアクセス端末１１０４によって繰り返すことが可能である。アクセス端末１１０４は、したがって、同時に複数の一時的なマルチキャストグループ接続のために基地局コントローラ１１０８およびＰＤＳＮ１１１０でリソースを確立することができる。図１１において説明されるステップ１１１４〜１１２８Ｂは、ネットワーク内に含まれるそれぞれのアクセス端末１１０２に関して繰り返すことが可能である。
【００７８】
図１２は、１つまたは複数のアクセス端末１２０２、１２０４とマルチキャストサーバ１２１２の間で確立されている一時的なマルチキャストグループ接続の一実施形態を例示するスレッド図である。この図は、アクセス端末が同時に複数の一時的なマルチキャストグループ接続をサポートすることが可能な場合のマルチキャストグループ接続セットアップ手順を例示する。第１のアクセス端末１２０４は、Ｎ番目のアクセス端末１２０２（ＡＴ  Ｎ）に至るまで、第２のアクセス端末、第３のアクセス端末などに情報をマルチキャストすることができる。一実施形態では、アクセス端末１２０４は呼出要求１２１４をマルチキャストサーバ１２１２に送る。マルチキャストサーバは、呼出発表１２１６をＡＴ  Ｎ１２０２によって表される１つまたは複数のアクセス端末に送ることができる。呼出発表１２１６は、呼出識別、マルチキャストＩＰアドレスおよびマルチキャストポートなどのパラメータを含み得る。マルチキャストサーバ１２１２は、データをグループ内のそれぞれのアクセス端末１２０２、１２０４に送信するために１２１６において表示されたマルチキャストＩＰアドレスおよびマルチキャストポートを使用することができる。
【００７９】
複数のアクセス端末１２０２内のアクセス端末はグループ通知１２１８Ａを基地局コントローラ１２０８に送るために呼出発表１２１６内に含まれたパラメータを使用することができる。グループ通知１２１８Ａはマルチキャストグループを識別するためのマルチキャストグループＩＰアドレスを含み得る。それぞれのアクセス端末１２０２はアドレスに参加１２２０Ａ通知をＰＤＳＮ１２１０に送ることができる。すなわち、グループ内のそれぞれのアクセス端末１２０２は、ＰＤＳＮ１２１０に根付いたマルチキャストＩＰアドレスグループに参加する。マルチキャストＩＰアドレスグループへのアクセス端末１２０２の参加は、ＩＧＭＰプロトコルを使用して実施され得る。
【００８０】
基地局コントローラ１２０８は、グループ通知１２１８Ａ内でアクセス端末によって基地局コントローラに通知されたマルチキャストグループを経由して同じマルチキャストグループに属するそれぞれのアクセス端末に気づくことができる。一実施形態において、基地局コントローラ１２０８は、「リーダー」ＲＬＰ流れとして機能するためにマルチキャストグループに関して確立されているＲＬＰ流れのうちの１つを選ぶ。先に説明されたように、基地局コントローラ１２０８は、マルチキャストグループ接続内のアクセス端末のそれぞれに関する専用補助Ａ１０チャネル上でＰＤＳＮ１２１０からパケットを受信して、そのパケットをそのパケットに割り当てられたＲＬＰ流れに転送することができる。「リーダー」ＲＬＰ流れは、マルチキャストＭＡＣ  ＩＤを使用して無線伝送のために基地局トランシーバにそのパケットを転送することができる。非リーダーＲＬＰ流れはそれぞれのパケットを破棄して、ドロップする。「リーダー」ＲＬＰ流れを有するアクセス端末がマルチキャストグループ接続を離れる場合またはサービス提供している基地局コントローラのサービス領域から地理的に離れる場合、新しい「リーダー」ＲＬＰ流れとして別のアクセス端末のＲＬＰ流れを選択することができる。
【００８１】
基地局コントローラ１２０８は、１２１８Ａにおいて通知されたマルチキャストグループに割り当てられているＲＬＰ流れを表示する流れ割当て１２２２Ａをアクセス端末１２０２に送る。基地局コントローラ１２０８は、同じＲＬＰ流れ数をマルチキャストグループ接続内のすべてのアクセス端末に割り当てるために、様々なアルゴリズムを用いることが可能である。一実施形態では、基地局コントローラは割り当てられることになるＲＬＰ流れを決定するためにマルチキャストグループＩＰアドレスに関してハッシュアルゴリズムを使用することができる。別の実施形態では、基地局コントローラは、サービス提供しているアクセス端末のうちのいずれにも割り当てられていないＲＬＰ流れを割り当てることができる。基地局コントローラ１２０８はチャネル割当て１２２４Ａをそれぞれのアクセス端末１２０２に送る。チャネル割当て１２２４Ａは、それぞれのアクセス端末１２０２と基地局トランシーバの間で通信が実施され得るチャネルを表示する。チャネル割当て１２２４Ａは、マルチキャストデータを送信するために割り当てられたマルチキャストＭＡＣ  ＩＤを含み得る。
【００８２】
それぞれのアクセス端末１２０２は予約１２２６ＡをＰＤＳＮ１２１０に送信することができる。予約１２２６ＡはパケットフィルタとＩＰ流れ識別とを含み得る。１２２６Ａ内のＩＰ流れ識別は、１２２２Ａにおいて割り当てられたＲＬＰ流れが予め予約されたＩＰ流れを識別する。ＰＤＳＮ１２１０は予約確認１２２８Ａを送信することができる。一実施形態では、パケットフィルタは、一時的なマルチキャストグループ向けのデータトラヒックが予め確立された専用補助Ａ１０チャネル内にフィルタ処理されるように、ＰＤＳＮ１２１０でセットアップされ得る。それぞれのアクセス端末１２０２は、予約確認１２２８Ａを受信した後に、呼出受入れ１２３０通知をマルチキャストサーバ１２１２に送る。
【００８３】
マルチキャストサーバ１２１２は呼出付与１２３２をマルチキャストグループ接続を発生させたアクセス端末１２０４に送ることができる。呼出付与１２３２は、マルチキャストグループ接続の成功裏のセットアップを表示し、呼出識別、マルチキャストＩＰアドレスおよびマルチキャストポートなどのパラメータを含み得る。アクセス端末１２０４は、マルチキャストグループに割り当てられたマルチキャストＩＰアドレスを表示するグループ通知１２１８Ｂを基地局コントローラ１２０８に送ることができる。アクセス端末１２０４は、アドレスに参加１２２０Ｂ通知をＰＤＳＮ１２１０に送ることも可能である。すなわち、アクセス端末１２０４はＰＤＳＮ１２１０に根付いたマルチキャストＩＰアドレスグループに参加することができる。アクセス端末１２０４はＩＧＭＰプロトコルを経由してマルチキャストＩＰアドレスグループに参加することができる。基地局コントローラ１２０８は、１２１８Ｂにおいて通知されたマルチキャストグループに割り当てられているＲＬＰ流れを表示する流れ割当て１２２２Ｂをアクセス端末１２０４に送る。基地局はチャネル割当て１２２４Ｂをアクセス端末１２０４に送る。チャネル割当て１２２４Ｂは、それぞれのアクセス端末１２０４と基地局トランシーバの間で通信が実施され得るチャネルを表示する。チャネル割当て１２２４Ｂは、マルチキャストデータを送信するために割り当てられたマルチキャストＭＡＣ  ＩＤを含み得る。
【００８４】
アクセス端末１２０４は、予約１２２６ＢをＰＤＳＮ１２１０に送信することができる。予約１２２６ＢはパケットフィルタとＩＰ流れ識別とを含み得る。１２２６Ｂ内のＩＰ流れ識別は、１２２２Ｂにおいて割り当てられたＲＬＰ流れが予め予約されているＩＰ流れを識別する。ＰＤＳＮ１２１０は予約確認１２２８Ｂを送信することができる。一実施形態では、パケットフィルタは、一時的なマルチキャストグループ向けのデータトラヒックが予め確立された専用補助Ａ１０チャネル内にフィルタ処理されるように、ＰＤＳＮ１２１０でセットアップされ得る。
【００８５】
図１３は、マルチキャストサーバ１３１２と１つまたは複数のアクセス端末１３０２、１３０４の間で終了している一時的なマルチキャストグループ接続の一実施形態を例示するスレッド図である。図１３で例示されるスレッド図は、アクセス端末１３０２、１３０４が任意の所与の時点で複数の一時的なマルチキャストグループ接続だけをサポートすることが可能な場合を例示し得る。単一のアクセス端末１３０４は、呼出終了１３１４Ａ通知をマルチキャストサーバ１３１２に送ることができる。マルチキャストサーバ１３１２は、呼出終了１３１４Ｂ通知を複数のアクセス端末１３０２に送ることができる。複数のアクセス端末１３０２は、グループ通知１３１６Ａを基地局コントローラ１３０８に送信することができる。グループ通知１３１６ＡはマルチキャストグループＩＰアドレスを含み、そのアクセス端末がマルチキャストグループ接続を離れていることを表示することが可能である。複数のアクセス端末１３０２は、アドレスを離れる１３１８Ａ通知をＰＤＳＮ１３１０に送ることも可能である。一実施形態では、アドレスを離れる１３１８Ａ通知は、複数のアクセス端末１３０２がＰＤＳＮ１３１０に根付いたマルチキャストＩＰアドレスグループを離れていることを表示する。すなわち、複数のアクセス端末１３０２はもはやマルチキャストＩＰアドレスと関連づけられない。アドレスを離れる１３１８Ａ通知は、ＩＧＭＰプロトコルを利用して送ることが可能である。
【００８６】
それぞれのアクセス端末１３０２は、予約１３２０ＡをＰＤＳＮ１３１０に送信することができる。予約１３２０ＡはパケットフィルタとＩＰ流れ識別とを含み得る。１３２０Ａ内のＩＰ流れ識別は、マルチキャストグループ接続においてＲＬＰ流れが割り当てられるＩＰ流れを識別する。基地局コントローラ１３０８はチャネル割当て１３２２Ａを複数のアクセス端末１３０２に送ることが可能である。チャネル割当て１３２２Ａは、マルチキャストＭＡＣ  ＩＤが複数のアクセス端末１３２０に関連しないことを表示できる。ＰＤＳＮ１３１０は予約確認１３２４Ａを送信することができる。一実施形態では、パケットフィルタは、一時的なマルチキャストグループ向けのデータトラヒックがもはや専用補助Ａ１０チャネル内にフィルタ処理されないように、ＰＤＳＮ１３１０で除去され得る。それぞれのアクセス端末１３０２は、予約確認１３２４Ａを受信した後で、呼出終了肯定応答１３２６Ａ通知をマルチキャストサーバ１３１２に送る。
【００８７】
一実施形態では、マルチキャストサーバ１３１２は呼出終了肯定応答１３２６Ｂを単一のアクセス端末１３０４に送る。単一のアクセス端末１３０４は、グループ通知１３１６Ｂを基地局コントローラ１３０８に送信することができる。グループ通知１３１６Ｂは、マルチキャストＩＰアドレスを含み、そのアクセス端末がマルチキャストグループ接続を離れていることを表示することが可能である。単一のアクセス端末１３０４は、アドレスを離れる１３１８Ｂ通知をＰＤＳＮ１３１０にさらに送ることができる。アドレスを離れる通知１３１８Ｂは、単一のアクセス端末１３０４がもはやマルチキャストＩＰアドレスグループに関連しないことを表示できる。アクセス端末１３０４は、予約１３２０ＢをＰＤＳＮ１３１０に送信することができる。予約１３２０ＢはパケットフィルタとＩＰ流れ通知とを含み得る。１３２０Ｂ内のＩＰ流れ識別は、マルチキャストグループ接続においてＲＬＰ流れが割り当てられるＩＰ流れを識別する。基地局コントローラ１３０８は、チャネル割当て１３２２Ｂを単一のアクセス端末１３０４に送ることも可能である。チャネル割当て１３２２ＢはマルチキャストＭＡＣ  ＩＤがアクセス端末１３０４に関連しないことを表示できる。ＰＤＳＮ１３１０は予約確認１３２４Ｂを送信できる。一実施形態では、パケットフィルタは、一時的なマルチキャストグループ向けのデータトラヒックがもはや専用補助Ａ１０チャネル内にフィルタ処理されないように、ＰＤＳＮ１３１０で除去され得る。
【００８８】
図１４は、構成に従って、アクセス端末など、通信装置１４０８において利用することが可能な様々な成分を例示する。装置１４０８は、装置１４０８の動作を制御するプロセッサ１４０２を含む。プロセッサ１４０２はＣＰＵと呼ばれる場合もある。読出し専用メモリ（ＲＯＭ）およびランダムアクセスメモリ（ＲＡＭ）の両方を含み得るメモリ１４０４は、命令およびデータをプロセッサ１４０２に提供する。メモリ１４０４の一部は、不揮発性ランダムアクセスメモリ（ＮＶＲＡＭ）も含み得る。
【００８９】
装置１４０８は、アクセス端末１４０８と遠隔位置の間のデータの送受信を可能にするために送信機１４１０および受信機１４１２を含むハウジング１４２２を含むことも可能である。送信機１４１０および受信機１４１２は組み合わされてトランシーバ１４２０を形成できる。アンテナ１４１８はハウジング１４２２に接続されて、トランシーバ１４２０に電子的に結合される。
【００９０】
通信装置１４０８は、トランシーバ１４２０によって受信された信号のレベルを検出して、定量化するために使用される信号検出器１４０６(signal detector)も含む。信号検出器１４０６は、総エネルギー、擬似雑音（ＰＮ）当たりのパイロットエネルギーチップ（pilot energy per pseudonoise (PN) chips）、電力スペクトル密度などの信号およびその他の信号を検出する。
【００９１】
装置１４０８の状態変更装置(state changer)１４１４は、現在の状態と、トランシーバ１４２０によって受信され、信号検出器１４０６によって検出された追加の信号とに基づいて、装置１４０８の状態を制御する。装置１４０８は、いくつかの状態のうちのいずれか１つの状態で動作することが可能である。
【００９２】
装置１４０８は、装置１４０８を制御して、現在のサービスプロバイダシステムが不十分であることを決定した場合、装置１４０８がどのサービスプロバイダシステムに転送すべきかを決定するために使用されるシステム決定装置(system determinator)１４２４も含む。
【００９３】
装置１４０８の様々な成分は、データバスに加えて、電力バス、制御信号バス、および状態信号バスを含み得るバスシステム(bus system)１４２６によって一緒に結合される。しかし、分かりやすくするために、様々なバスは図１４においてバスシステム１４２６として例示される。装置１４０８は、信号を処理する際に使用するためのデジタル信号プロセッサ（ＤＳＰ）１４１６を含むことも可能である。
【００９４】
図１５は、開示された装置の一実施形態による基地局１５０８のブロック図である。基地局１５０８は、基地局コントローラ、基地局トランシーバなどであり得る。基地局１５０８は、送信機１５１０および受信機１５１２を含むトランシーバ１５２０を含み得る。トランシーバ１５２０はアンテナ１５８０に結合され得る。基地局１５０８は、デジタル信号プロセッサ（ＤＳＰ）１５１４と、汎用プロセッサ１５０２と、メモリ１５０４と、通信インターフェース１５０６とをさらに含む。基地局１５０８の様々な成分はハウジング１５２２内に含まれることが可能である。
【００９５】
プロセッサ１５０２は基地局１５０８の動作を制御することができる。プロセッサ１５０２はＣＰＵと呼ばれる場合もある。読出し専用メモリ（ＲＯＭ）およびランダムアクセスメモリ（ＲＡＭ）の両方を含み得るメモリ１５０４は、命令およびデータをプロセッサ１５０２に提供する。メモリ１５０４の一部は不揮発性ランダムアクセスメモリ（ＮＶＲＡＭ）も含み得る。
【００９６】
開示された装置によれば、アンテナ１５１８は、アクセス端末など、近傍の通信装置１４０８から送信されている逆方向リンク信号を受信することができる。アンテナ１５１８は、これらの受信された信号を、それらの信号をフィルタ処理して、増幅するトランシーバ１５２０に結合する。信号はトランシーバ１５２０からＤＳＰ１５１４に結合されて、復調、復号、さらなるフィルタ処理などのために、汎用プロセッサ１５０２に結合される。
【００９７】
基地局１５０８の様々な成分は、データバスに加えて、電力バス、制御信号バス、および状態信号バスを含み得るバスシステム１５２６によって一緒に結合される。しかし、分かりやすくするために、様々なバスは図１５においてバスシステム１５２６として例示される。
【００９８】
情報および信号は、様々な異なる技術および技法のうちのいずれかを使用して表すことが可能である。例えば、上記の説明の全体にわたって参照され得るデータ、命令、コマンド、情報、信号、ビット、記号、およびチップは、電圧、電流、電磁波、磁場もしくは磁粉、光場もしくは光粒子、またはそれらの任意の組合せによって表すことが可能である。
【００９９】
本明細書で開示された実施形態に関して説明された様々な例示的な論理ブロック、モジュール、回路、およびアルゴリズムステップは、電子ハードウェア、コンピュータソフトウェア、またはそれら両方の組合せとして実施することが可能である。ハードウェアおよびソフトウェアのこの交換可能性を分かりやすく例示するために、様々な例示的な成分、ブロック、モジュール、回路、およびステップは概してそれらの機能性の点から上記で説明されている。そのような機能性がハードウェアとして実施されるかまたはソフトウェアとして実施されるかは、特定のアプリケーションおよびシステム全体に課せられた設計制約に依存する。当業者は、説明された機能性をそれぞれの特定のアプリケーションに関して様々な方法で実施することが可能であるが、そのような実施決定は本発明のシステムおよび方法の範囲から逸脱を生じさせるものと解釈されるべきではない。
【０１００】
本明細書で開示された実施形態に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラム可能なゲートアレー信号（ＦＰＧＡ）もしくはその他のプログラム可能な論理装置、離散ゲートもしくはトランジスタ論理、離散的なハードウェア成分、または本明細書で説明された機能を実行するように設計されたそれらの任意の組合せを用いて実施あるいは実行されることが可能である。汎用プロセッサはマイクロプロセッサであってよいが、代替では、プロセッサは通常のプロセッサ、コントローラ、マイクロコントローラ、または状態機械であってよい。プロセッサはまた、コンピューテング装置の組合せ（例えば、ＤＳＰとマイクロプロセッサの組合せ、複数のマイクロプロセッサ、ＤＳＰコアと共に１つもしくは複数のマイクロプロセッサ、または任意のその他のそのような構成）として実施することも可能である。
【０１０１】
本明細書で開示された実施形態に関して説明された方法またはアルゴリズムのステップは、ハードウェアの形で直接的に、プロセッサによって実行されるソフトウェアモジュールの形で、またはそれら２つの組合せの形で実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野で知られている任意のその他の形式の記憶媒体の中に存在し得る。例示的な記憶媒体は、プロセッサがその記憶媒体から情報を読み取り、その記憶媒体に情報を書き込むことができるようにプロセッサに結合される。代替では、記憶媒体はプロセッサと一体であってもよい。プロセッサおよび記憶媒体はＡＳＩＣ内に存在し得る。ＡＳＩＣはユーザ端末内に存在し得る。代替では、プロセッサおよび記憶媒体はユーザ端末内の離散的な成分として存在し得る。
【０１０２】
１つまたは複数の例示的な実施形態において、説明された機能はハードウェア、ソフトウェア、ファームウェア、またはそれらの任意の組合せの形で実施することが可能である。ソフトウェアの形で実施される場合、機能はコンピュータ可読媒体(computer-readable medium)上の１つまたは複数の命令またはコードとして記憶することまたは送信することが可能である。コンピュータ可読媒体は、コンピュータ記憶媒体(computer storage media)および、１つの場所から別の場所へのコンピュータプログラムの転送を円滑にする任意の媒体を含む通信媒体(communication media)の両方を含む。記憶媒体は、コンピュータによってアクセスされ得る任意の利用可能な媒体であってもよい。限定ではなく、例として、そのようなコンピュータ可読媒体はＲＡＭ、ＲＯＭ、ＥＥＰＲＯＭ、ＣＤ−ＲＯＭもしくはその他の光ディスク記憶装置、磁気ディスク記憶装置もしくはその他の磁気記憶装置、または命令もしくはデータ構造の形式で所望されるプログラムコードを運ぶためまたは記憶するために使用することができ、かつコンピュータによってアクセスされ得る任意のその他の媒体を備え得る。また、任意の接続は、正確にはコンピュータ可読媒体と呼ばれる。例えば、同軸ケーブル、光ファイバケーブル、より対線、デジタル加入者線（ＤＳＬ）、または、赤外線、無線、およびマイクロ波などの無線技術を使用して、ソフトウェアがウェブサイト、サーバ、またはその他の遠隔ソースから送信された場合、同軸ケーブル、光ファイバケーブル、より対線、ＤＳＬ、または、赤外線、無線、およびマイクロ波などの無線技術は、媒体の定義内に含まれる。本明細書で使用される場合、ディスクおよびディスク(Disk and disc)は、コンパクトデイスク(compact disc)（ＣＤ）、レーザーディスク（登録商標）(laser disc)、光ディスク(optical disc)、デジタル多目的ディスク(digital versatile disc)（ＤＶＤ）、フロッピー（登録商標）ディスク(floppy（登録商標） disk)およびブルーレイディスク(blu-ray disc)を含み、ｄｉｓｋは通常はデータを磁気によって再生し、一方、ｄｉｓｃはレーザーを用いてデータを光学的に再生する。上記の組合せも、コンピュータ可読媒体の範囲内に含まれるべきである。
【０１０３】
本明細書で開示される方法は、説明された方法を達成するための１つまたは複数のステップまたは動作を備える。方法ステップおよび／または動作は、本発明の範囲から逸脱することなく、互いに交換されることが可能である。すなわち、実施形態の適切な動作のためにステップまたは動作の特定の順序が要求されない限り、特定のステップおよび／もしくは動作の順序ならびに／または使用は、本発明の範囲を逸脱せずに修正されることが可能である。
【０１０４】
本発明の特定の実施形態およびアプリケーションが例示および説明されているが、本発明は本明細書で開示されたまさにその構成および成分に限定されない点を理解されたい。当業者に明らかであろう様々な修正形態、変更形態、および改変形態は、本発明の精神および範囲から逸脱せずに、本明細書で開示された本発明の方法およびシステムの構成、動作、および詳細の形で行われることが可能である。
以下に、本願出願の当初の特許請求の範囲に記載された発明を付記する。
［付記］
［１］マルチキャスト伝送においてリンク効率を改善するための方法であって、
データパケットをマルチキャストサーバに送ることと、
前記データパケットを処理することと、
前記データパケットのコピーを前記マルチキャストサーバから１つまたは複数のアクセス端末に関連するマルチキャストインターネットプロトコル（ＩＰ）アドレスに送信することと、
前記１つまたは複数のアクセス端末のそれぞれに関連するマルチキャストトラヒック専用のチャネルを使用して、前記データパケットの前記コピーを前記１つまたは複数のアクセス端末のそれぞれにマルチキャストすることと、
を備える方法。
［２］基地局コントローラは、マルチキャスト媒体アクセス制御（ＭＡＣ）識別子を使用して、１つまたは複数のアクセス端末への伝送のために、基地局トランシーバに前記データパケットの単一のコピーを転送する、［１］記載の方法。
［３］基地局コントローラは、マルチキャストグループリストを維持する、［１］記載の方法。
［４］前記マルチキャストグループリストは、特定のグループに属する前記１つまたは複数のアクセス端末を表示する、［３］記載の方法。
［５］前記特定のグループは、予約された識別子を備える固定マルチキャストグループである、［４］記載の方法。
［６］前記特定のグループは、前記マルチキャストグループ接続のセットアップ時に確立され、前記マルチキャストグループ接続の終了時に削除される識別子、を備える一時的なマルチキャストグループである、［４］記載の方法。
［７］１つまたは複数のアクセス端末が基地局トランシーバのある地理的セクタ内に入ったとき、マルチキャストＭＡＣ識別子を前記１つまたは複数のアクセス端末に動的に割り当てること、をさらに備える［１］記載の方法。
［８］１つまたは複数のアクセス端末が基地局トランシーバのある地理的セクタを出たとき、前記１つまたは複数のアクセス端末からマルチキャストＭＡＣ識別子を動的に解除すること、をさらに備える［１］記載の方法。
［９］前記データパケットの追加のコピーを破棄すること、をさらに備える［１］記載の方法。
［１０］前記マルチキャストサーバはプッシュツートーク（ＰＴＴ）サーバである、［１］記載の方法。
［１１］前記マルチキャストサーバはプッシュツートークオーバーセルラー（ＰｏＣ）サーバである、［１］記載の方法。
［１２］マルチキャスト伝送においてリンク効率を改善するように構成された装置であって、  前記装置は、
プロセッサと、
前記プロセッサと電子通信中のメモリと、
前記メモリ内に記憶された命令と、
を備え、
前記命令は、
パケットデータサービシングノードと通信し；
データパケットの１つまたは複数のコピーを前記パケットデータサービシングノードから受信し、なお、前記データパケットのそれぞれのコピーはアクセス端末と関連づけられている;
前記データパケットの単一のコピーを基地局トランシーバに転送し；そして、
前記データパケットの追加のコピーを破棄する、
ように実行可能である、装置。
［１３］前記命令は、マルチキャスト媒体アクセス制御（ＭＡＣ）識別子を使用して、１つまたは複数のアクセス端末への伝送のために、基地局トランシーバに前記データパケットの単一のコピーを転送する、ようにさらに実行可能である、［１２］記載の装置。
［１４］前記命令は、前記データパケットの追加のコピーを破棄する、ようにさらに実行可能である、［１２］記載の装置。
［１５］前記命令は、マルチキャストグループリストを維持する、ようにさらに実行可能である、［１２］記載の装置。
［１６］前記マルチキャストグループリストは、特定のグループに属する前記１つまたは複数のアクセス端末を表示する、［１２］記載の装置。
［１７］前記命令は、１つまたは複数のアクセス端末が基地局トランシーバのある地理的セクタ内に入るとき、マルチキャストＭＡＣ識別子を前記１つまたは複数のアクセス端末に動的に割り当てる、ようにさらに実行可能である、［１２］記載の装置。
［１８］前記命令は、１つまたは複数のアクセス端末が基地局トランシーバのある地理的セクタから出るとき、マルチキャストＭＡＣ識別子を前記１つまたは複数のアクセス端末から動的に解除するように、さらに実行可能である、［１２］記載の装置。
［１９］マルチキャスト伝送においてリンク効率を改善するように構成されたシステムであって、
データパケットをマルチキャストサーバに送るための手段と、
前記データパケットを処理するための手段と、
前記データパケットのコピーを前記マルチキャストサーバから１つまたは複数のアクセス端末に関連するマルチキャストインターネットプロトコル（ＩＰ）アドレスに送信するための手段と、
前記１つまたは複数のアクセス端末のそれぞれに関連するマルチキャストトラヒック専用のチャネルを使用して、前記データパケットの前記コピーを前記１つまたは複数のアクセス端末のそれぞれにマルチキャストするための手段と
を備えるシステム。
［２０］パケットデータサービシングノードと通信し；
データパケットの１つまたは複数のコピーを前記パケットデータサービシングノードから受信し、なお、前記データパケットのそれぞれのコピーはアクセス端末と関連づけられている;
前記１つまたは複数のアクセス端末への伝送のために、基地局トランシーバに前記データパケットの単一のコピーを転送し；そして、
前記データパケットの追加のコピーを破棄する、
ように実行可能である命令のセット、
を記憶するように構成されたコンピュータ可読媒体。
【図１】
0005425633.tif 000002
【図２】
0005425633.tif 000003
【図３】
0005425633.tif 000004
【図４】
0005425633.tif 000005
【図５】
0005425633.tif 000006
【図６】
0005425633.tif 000007
【図７】
0005425633.tif 000008
【図８】
0005425633.tif 000009
【図９】
0005425633.tif 000010
【図１０】
0005425633.tif 000011
【図１１】
0005425633.tif 000012
【図１２】
0005425633.tif 000013
【図１３】
0005425633.tif 000014
【図１４】
0005425633.tif 000015
【図１５】
0005425633.tif 000016